(57)【特許請求の範囲】
【請求項１】
それぞれ複数の表示モードを有し、全てが組み合わさって略円形を形成する複数の円部セグメントを含む円部であって、円部表示情報に基づいて、警報レベルに対応する前記複数の円部セグメントの前記表示モードが変化する円部と、
前記円部の前記複数の円部セグメントにそれぞれ対応し、それぞれ複数の表示モードを有し、全てが組み合わさって略円を形成する複数の外周部セグメントを含む外周部であって、前記複数の外周部セグメントのそれぞれは、外周部表示情報に基づいて、前記表示モードが変化し、外部からの入力に関する入力操作情報に応答して、前記表示モードが元に戻る外周部と、
外部から入力を受け、前記入力に関する情報を前記入力操作情報として送る操作部と、
計測値が複数の判別値で区分けされる計測値の領域のどの領域に属するか、および計測値が対応する前記複数の円部セグメントの一つがカバーする領域にある状態からそうでない状態への変化が生じたかどうかを判定し、前記計測値が属する領域を前記円部表示情報として、さらに、もし前記変化が生じたときには前記変化に関する情報を前記外周部表示情報として送る表示制御部と、
を含む警報表示装置。
【請求項２】
さらに、それぞれ複数の表示モードを有し、前記複数の判別値に対応するように前記複数の円部セグメントの前記円部の隣接する２つのセグメントに挟まれて配置される複数の放射部セグメントを含み、放射部表示情報に基づいて、前記複数の判別値の一つに対応する前記複数の放射部セグメントの一つの前記表示モードが変化する放射部と、
を含み、
前記表示制御部はさらに、前記計測値が前記複数の判別値の一つに近いかどうかを判定し、前記計測値が前記複数の判別値の一つに近い場合には前記複数の判別値の一つに関する情報を前記放射部表示情報として送る、請求項１に記載の警報表示装置。
【請求項３】
それぞれ複数の表示モードを有し、全てが組み合わさって略円形を形成する複数の円部セグメントを含む円部であって、円部表示情報に基づいて、警報レベルに対応する前記複数の円部セグメントの前記表示モードが変化する円部と、
前記複数の円部セグメントの前記円部の隣接する２つのセグメントに挟まれて配置される複数の放射部セグメントを含み、放射部表示情報に基づいて、複数の判別値の一つに対応する前記複数の放射部セグメントの一つの前記表示モードが変化する放射部と、
計測値が複数の判別値で区分けされる計測値の領域のどの領域に属するか、および前記計測値が前記複数の判別値の一つに近いかどうかを判定し、前記計測値が属する領域を前記円部表示情報として、前記計測値が前記複数の判別値の一つに近い場合には前記複数の判別値の一つに関する情報を前記放射部表示情報として送る表示制御部と、
を含む警報表示装置。
【請求項４】
さらに、前記円部の前記複数の円部セグメントにそれぞれ対応し、それぞれ複数の表示モードを有し、全てが組み合わさって略円を形成する複数の外周部セグメントを含む外周部であって、前記複数の外周部セグメントのそれぞれは、外周部表示情報に基づいて、前記表示モードが変化し、外部からの入力に関する入力操作情報に応答して、前記表示モードが元に戻る外周部と、
外部から入力を受け、前記入力に関する情報を前記入力操作情報として送る操作部と、
を含み、
前記表示制御部はさらに、計測値が対応する前記複数の円部セグメントの一つがカバーする領域にある状態からそうでない状態への変化が生じたかどうかを判定し、さらに、もし前記変化が生じたときには前記変化に関する情報を前記外周部表示情報として送る、請求項３に記載の警報表示装置。
【請求項５】
前記判別値の数が３以上である請求項１乃至４のいずれか一項に記載の警報表示装置。
【請求項６】
前記計測値は河川の水位および流水量を含む水文情報と、季節、河川沿岸地域の天候を含む気象情報を含む河川情報である、請求項１乃至５のいずれか一項に記載の警報表示装置。
【請求項７】
前記判別値および／または前記判別値の数は前記気象情報に依存する請求項６に記載の警報表示装置。
【請求項８】
前記気象情報は、前記円部を用いて表示される請求項６又は７に記載の警報表示装置。
【請求項９】
前記円部の前記複数の円部セグメントがカバーする計測値の領域の大きさが、前記複数の円部セグメントによって異なる、請求項１乃至５のいずれか一項に記載の警報表示装置。
【請求項１０】
前記計測値が前記判別値の最小値より小さい場合を定常状態、前記計測値が前記判別値の最小値より大きい場合を警報状態と呼ぶとき、前記複数の円部セグメントのそれぞれカバーする計測値の領域の大きさが、その円部セグメントが定常状態に対応する計測値の領域をカバーするのか、警報状態に対応する計測値の領域をカバーするのかに依存する、請求項９に記載の警報表示装置。
【請求項１１】
それぞれ複数の表示モードを有し、全てが組み合わさって略円形を形成する円部の複数の円部セグメントのそれぞれは、複数の判別値で区分けされる計測値の領域をカバーし、計測値が、複数の円部セグメントがカバーする領域に含まれるとき、対応する前記複数の円部セグメントの一つまたは複数の前記表示モードを変化させることと、
それぞれ複数の表示モードを有し、前記複数の判別値に対応するように前記複数の円部セグメントの前記円部の隣接する２つのセグメントに挟まれて配置される放射部の複数の放射部セグメントにおいて、計測値が、前記複数の判別値の一つに近いときに前記複数の判別値の一つに対応する前記複数の放射部セグメントの一つの前記表示モードを変化させること、
を含む警報表示方法。
【請求項１２】
それぞれ複数の表示モードを有し、全てが組み合わさって略円形を形成する円部の複数の円部セグメントのそれぞれは、複数の判別値で区分けされる計測値の領域をカバーし、計測値が、複数の円部セグメントがカバーする領域に含まれるとき、対応する前記円部セグメントの一つの前記表示モードを変化させることと、
前記円部の前記複数の円部セグメントにそれぞれ対応し、それぞれ複数の表示モードを有し、全てが組み合わさって略円を形成する複数の外周部セグメントを含む外周部であって、前記複数の外周部セグメントのそれぞれは、計測値が対応する前記複数の円部セグメントの一つがカバーする領域にある状態からそうでない状態に変化したときに、前記表示モードが変化し、外部から入力される確認を示す命令に対応して、前記表示モードを元に戻すこと、
を含む警報表示方法。
【請求項１３】
前記計測値は河川の水位および流水量を含む水文情報と、季節、河川沿岸地域の天候を含む気象情報を含む河川情報であり、
前記気象情報は、前記外周部を用いて表示される、請求項１、２、及び４のうちのいずれか一項に記載の警報表示装置。
【発明の詳細な説明】
【技術分野】
【０００１】
本発明は、警報を表示する装置および方法に関し、特に複数の判別値によって警報レベルが分類される河川での災害に対する警報を表示する装置および方法に関する。
【背景技術】
【０００２】
天災に係る警報では、複数の判別値によって警報レベルが分類されていることがある。たとえば、ダムの水分状態や河川の状態をリアルタイムで監視するために必要な水位や雨量などの河川情報に関するデータ値は、計測器によって計測される。計測器で得られたこれらのデータ値の値が、正常な範囲を逸脱しているときは、災害を防ぐために洪水予警報や水防警報などの警報を発する必要があるが、警報にはデータ値によって幾つかのレベルが存在する。素早く正しい警報を発するためにも、計測器が示すデータ値が、警報を発するべき範囲の値であるのかどうか、警報を発するべきであればどの警報レベルか、を防災のための非専門家でも、出来るだけ早く且つ正確に判断することが要求される。河川情報に関しては、短時間での集中豪雨（ゲリラ豪雨）が多発し、防災管理装置やシステム、国や地方自治体、公的機関、民間機関等が定めた防災に関する規則等に必ずしも精通していない者でも、計測器に表示される情報から、素早く正しいレベルでの警報を発することが要求される。
【０００３】
計測値や計測値に対する警報レベルをリアルタイムで視覚的に表現するには、計測値を直接表示する、時間の経過に合わせてグラフ表示する、警報レベルをランプを用いて表示する、という３つの方法がある。計測値をグラフを用いて表示する方法では、計測値が所定の値を超えたかどうかを視覚的にユーザに向けて表示する。警報レベルをランプを用いて表示する方法では、ランプを点灯または点滅させることによって、または発光色を変えることによって、警報レベルを視覚的にユーザに向けて表示する。一般には、数字を直接表示する方法だけでは、計測値の警報レベルを判別することが難しいため、グラフによって表示やランプの点灯を併用する。
【０００４】
また、河川情報に関する警報では、水位や水量などの計測値が、警報レベルを判別する判別値を下から上に横切って正常から異常な値に変化する場合のみならず、上から下に横切って異常から正常な値に変化する場合も重要である。計測値が判別値を下から上に横切る場合には警報を発する必要があるが、上から下に横切る場合には、警報を止めたり、警報の種類を変えたりする必要がある。河川情報に関する警報では、警報が解除されたり、警報レベルが下がったことを知らせることも重要である。
【０００５】
計測器で計測された計測値が正常であるか異常であるかを判別する判別値より大きいか小さいか、またはその計測値は複数の判別値によって仕切られる警報レベルのうちどの警報レベルに属するかを表示する際に、判別値の近傍に遷移領域を設ける技術が知られている。この技術では、計測値が遷移領域の上限値より大きい場合、判別値を含む遷移領域内にある場合、遷移領域の下限値より小さい場合、の３つの場合で異なる色での表示を行う。このような表示方法によって、計測値が判別値近くで細かく変動して、正常と異常の間の変化、または警報のレベルの変化が細かく生じることがあっても、加色混合の原理によって正規の表示色ではない色として視覚的に認識されることを減らすことができる。
【０００６】
また、時間の経過に合わせてグラフ表示しつつ、警報レベルをランプを用いて表示する技術が知られている。測定値のグラフ表示と、警報レベルのランプ表示を併用することによって、表示器から離れた場所からでも、計測値と測定値に対する警報レベルを容易に読み取ることができる。
【０００７】
また、ある時間にわたる積分量に許容される値があり、将来の予測が可能である場合に、現在までの積分量と現在から時限終了までに予想される積分量を、グラフを用いて表示するデマンド（要求量）監視制御装置が知られている。この装置では、現在までの積分量を示すグラフの面積が視覚的に増える方向に、現在から時限終了までに予想される積分量を示すグラフを積み上げる。デマンドの例には、需用電力が含まれる。
【０００８】
さらに、河川情報を表示するシステムであって、計測器で計測された水位、雨量、流水量等の計測値の表示（数値、グラフ表示等）に加え、計測値から導かれる分かり易いメッセージ、サポート情報をユーザに配信するシステムが知られている。
【０００９】
このシステムでは、計測器から得られる計測値に応じて、「〇〇に大雨洪水警報が発令されています」、「〇〇において警戒水位、指定水位を超えているところがあります」、「（レーダ雨量によると）１時間後に３０ｍｍ以上の激しい雨が降ることが予想されます」、「水位は指定水位を超えており上昇中です」などのメッセージがユーザに配信される。
【先行技術文献】
【特許文献】
【００１０】
【特許文献１】特開平９−２２９７２１号
【特許文献２】特公平７−１３５９２号
【特許文献３】特開２００５−０５０００７号
【特許文献４】特開２００３−６６１４１号
【発明の概要】
【発明が解決しようとする課題】
【００１１】
計測値及び警報レベルを表示する警報表示装置を河川での災害に対する警報表示装置として用いようとしても、河川情報は、複数の計測値を含み、さらに各計測値に対して警報レベルを指定するために複数の判別値が設定され、警報レベルによって対応体制が異なる。そのため、防災管理装置やシステム、国や地方自治体、公的機関、民間機関等が定めた防災に関する規則等に必ずしも精通していない者では、計測器で計測された情報から、素早く正しい警報を発することが難しいという問題がある。
【００１２】
また、従来の河川での災害に対する警報表示装置では、複数の計測値に対する警報レベルを判別しにくいという問題がある。ダムの管理所では、ダム湖及び河川の水位を監視するために、上限ならびに下限の警報定数が設けられている。これは、上限では河川の氾濫が生じないかどうかを、下限では一定量の義務放流量が維持されているか、を監視するためである。しかし、従来技術では、正方向（上限）の警報定数のみ設定されていることが多く、負方向（下限）の状況を監視することが難しいという問題がある。さらに、表示スケールにおいても、表示する計測値は定常値でも警報値でも、全ての領域で同一の尺度を用いて表示するため、警報レベルに達した際に、計測値の詳細を視覚的に確認することが難しいという問題がある。特に、計測値を時系列でグラフを用いて表示する場合、表示範囲を大きくすると詳細が把握し難くなり、逆に小さくすると大局を捉えにくいという問題がある。
【００１３】
さらに、従来の河川での災害に対する警報表示装置では、水位や雨量等の計測値の現在の値を表示するだけで、測定値が増加傾向にあるのか減少傾向にあるのかなど計測値の動きに関する情報を表示できないという問題がある。すなわち、河川での災害に関する情報では、計測値がある判別値を下回り警報レベルが下がったという情報が重要である。しかしながら、従来の装置では、このような情報を視覚的に認識し易い方法で表示をすることが難しいという問題がある。特に、計測値が複数の判別値の一つを超えるとブザーが鳴ったり、警報ランプが点滅することで警報に関する情報を表示する装置で、計測値が判別値を下回るとブザーが鳴り終えたり、警報ランプが消灯してしまうと、災害の可能性を見失ってしまうおそれがある。また、一旦、ブザーやランプで警報に関する情報を発すると、操作員による外部入力によってでのみ、ブザーやランプを消すことができる装置では、警報レベルが下がっても、表示器や警報音によって確認することができないという問題がある。
【００１４】
さらに、従来の河川での災害に対する警報表示装置では、機能の拡張、または表示項目の変更や増加をするには、表示器の構成、つまり表示器の部品を変更する必要があり、開発費や時間によるコストが掛かるという問題がある。また、表示器に対する警報の設定は可変ではあるが、全て手動で行うため刻々と可変する警報定数に対応することは多大なる労力を要し、ヒューマンエラーによる入力ミスを招きやすいという問題がある。
【００１５】
したがって、防災管理装置やシステム、国や地方自治体、公的機関、民間機関等が定めた防災に関する規則等に必ずしも精通していない者でも、計測器によって得られた河川に関する情報データから、素早く正確に状況を判断することが可能な表示装置が求められている。特に、河川に関する情報データの現在の測定値のみならず、計測値の動きに関する情報を用いて、防災の非専門家であっても、河川の状況を判断することが可能な表示装置が求められている。
【課題を解決するための手段】
【００１６】
警報表示装置の一つの実施形態は、それぞれ複数の表示モードを有し、全てが組み合わさって略円形を形成する複数の円部セグメントを含む円部であって、円部表示情報に基づいて、警報レベルに対応する前記複数の円部セグメントの前記表示モードが変化する円部と、前記円部の前記複数の円部セグメントにそれぞれ対応し、それぞれ複数の表示モードを有し、全てが組み合わさって略円を形成する複数の外周部セグメントを含む外周部であって、前記複数の外周部セグメントのそれぞれは、外周部表示情報に基づいて、前記表示モードが変化し、外部からの入力に関する入力操作情報に応答して、前記表示モードが元に戻る外周部と、外部から入力を受け、前記入力に関する情報を前記入力操作情報として送る操作部と、計測値が複数の判別値で区分けされる計測値の領域のどの領域に属するか、および計測値が対応する前記複数の円部セグメントの一つがカバーする領域にある状態からそうでない状態への変化が生じたかどうかを判定し、前記計測値が属する領域を前記円部表示情報として、さらに、もし前記変化が生じたときには前記変化に関する情報を前記外周部表示情報として送る表示制御部と、を含むことを特徴とする。
【００１７】
警報表示装置の別の実施形態は、それぞれ複数の表示モードを有し、全てが組み合わさって略円形を形成する複数の円部セグメントを含む円部であって、円部表示情報に基づいて、警報レベルに対応する前記複数の円部セグメントの前記表示モードが変化する円部と、前記複数の円部セグメントの前記円部の隣接する２つのセグメントに挟まれて配置される複数の放射部セグメントを含み、放射部表示情報に基づいて、複数の判別値の一つに対応する前記複数の放射部セグメントの一つの前記表示モードが変化する放射部と、計測値が複数の判別値で区分けされる計測値の領域のどの領域に属するか、および前記計測値が前記複数の判別値の一つに近いかどうかを判定し、前記計測値が属する領域を前記円部表示情報として、前記計測値が前記複数の判別値の一つに近い場合には前記複数の判別値の一つに関する情報を前記放射部表示情報として送る表示制御部と、を含むことを特徴とする。
【発明の効果】
【００１８】
円形の円部で現在の計測値の大きさと警報レベルを示し、円を取り巻くように配置される外周部で、計測値が減少して現在の警報レベルに達したことを表示し、円部の中心から放射状に伸びる放射部で、計測値が判別値に近いことを示すことによって、防災の非専門家であっても河川の状況を視覚的に素早く認識することができる。
【図面の簡単な説明】
【００１９】
【図１】警報表示装置が実装されるダムコントロールシステムの例の構成を示す図である。
【図２】円形表示部を含む警報表示装置の機能ブロック図である。
【図３】警報表示装置の円形表示部の円部を用いた表示の例を示す図である。
【図４】円部と外周部と放射部を含む警報表示装置の円形表示部の構成を示す図である。
【図５】警報表示装置の円形表示部の円部を用いた表示における円部の不均一な領域分割の例を示す図である。
【図６】警報表示装置の円形表示部の円部を用いた表示における円部の不均一な領域分割の別の例を示す図である。
【図７】警報表示装置の円形表示部の円部を用いた表示における円部の均一な領域分割の例を示す図である。
【図８】警報表示装置の円形表示部の円部を用いた正負の値を持つ計測値の表示の例を示す図である。
【図９Ａ】警報表示装置の円形表示部の円部と放射部を用いた計測値がある警報レベルの領域の上限付近にある場合の表示の例を示す図である。
【図９Ｂ】警報表示装置の円形表示部の円部と放射部を用いた計測値がある警報レベルの領域の下限付近にある場合の表示の例を示す図である。
【図１０】警報表示装置の円形表示部の外周部の表示の例を示す図である。
【図１１】河川の水位の計測値の時間変化の例を示す図である。
【図１２】河川の水位の計測値の警報表示装置の円形表示部の円部と外周部を用いた表示の例である。
【図１３】警報表示装置の円形表示部の円部を用いた表示における、時期および天気に依存する領域分割の例を示す図である。
【図１４】警報表示装置の円形表示部の円部による天気の表示の例を示す図である。
【図１５】警報表示装置の円形表示部の円部による天気の表示の記号の例を示す図である。
【図１６】警報表示装置の円形表示部の円部の円部と外周部と放射部を用いて天気と計測値の増減を同時に示す表示の例を示す図である。
【図１７】河川の水位の計測値の変化の例を示す図である。
【図１８】警報表示装置の円形表示部の円部と放射部を用いた正負の値を持つ計測値の表示の例を示す図である。
【図１９】警報表示装置の構成の例を示す図である。
【図２０】警報表示装置の円形表示部が円部の表示に伴って警報表示装置で行われる処理の流れの例を表すフローチャートである。
【図２１】警報表示装置の円形表示部が外周部の表示に伴って警報表示装置で行われる処理の流れの例を表すフローチャートである。
【図２２】河川の水位の計測値の時間変化の別の例を示す図である。
【図２３】河川の水位の計測値の警報表示装置の円形表示部の円部と外周部を用いた表示の例である。
【図２４】警報表示装置の円形表示部が放射部の表示に伴って警報表示装置で行われる処理の流れの例を表すフローチャートである。
【図２５】警報表示装置の比較例を示す図である。
【発明を実施するための形態】
【００２０】
以下、本発明の実施形態について、図面を参照しながら説明をする。尚、図中で類似の部分または類似の機能を果たす部分については、同一または類似の参照符号を付与して重複した説明を省略する。
【００２１】
以下で開示される実施形態は、計測器によって計測されたダムや河川の水位や雨量などの河川情報に関連する計測値に基づいて、ダムおよび／または河川での災害に対する警報に関する情報を表示する表示装置および方法に関するものである。特に、正負両方向の変動が考えられる計測値が存在し、季節や天候で警報を発する警報レベルの値や警報レベルの数が変化し、各計測値に対して警報レベルを指定するために複数の判別値が設定され、警報レベルによって対応体制が異なるような、河川での災害に対する警報表示装置に関する。
【００２２】
以下で開示される実施形態は、たとえば、防災管理装置やシステム、国や地方自治体、公的機関、民間機関等が定めた防災に関する規則等に必ずしも精通していない者が利用者となることがあるダムコントロールシステムの警報表示装置として用いられる。しかしながら以下で開示される実施形態は、ダムコントロールシステムの警報表示装置、または河川での災害に対する警報表示装置としてのみならず、正負両方向の変動が考えられる計測値が存在し、条件によって警報を発する警報レベルの値や警報レベルの数が変化し、各計測値に対して警報レベルを指定するために複数の判別値が設定されるような警報表示装置として用いることが可能である。
【００２３】
以下では、河川の沿岸地域の天気や天気が雨であったときの雨量、河川の水位などの計測値を含む、ある時刻の気象、水分状況に関する情報をまとめて河川情報と呼ぶ。
【００２４】
また、計測値に対して警報レベルを対応させるために用いられる判別値（警報定数）を警報情報と呼ぶ。警報情報は、天気や時期（四季や、洪水期（雨季）か非洪水期（雨季でない）など）によって変化しても良い。
＜システムの構成＞
図１を参照して、本実施形態の警報表示装置が実装されるダムコントロールシステム１０について説明する。図１は、警報表示装置が実装されるダムコントロールシステムの例の構成示す図である。
【００２５】
ダムコントロールシステム１０では、ダムおよびダムに繋がる河川にまたはそれらの周囲に配置された複数の計測器によって計測された計測値または季節や天候等の気象状況を監視する。計測値および気象状況に基づいて、ダムからの放水量を調整する弁や、河川に配置されたゲートなどの河川設備を制御する。また、ダムコントロールシステム１０は、公的機関またはその他の機関（民間機関など）が警報を発令する基準となる各計測値に対する判別値（警報定数）と計測値を比較して、システム１０の利用者に対して、河川の沿岸住民等に災害警報を発することを促す表示をする。表示としては、ランプの点灯など光による表示のほか、ブザーを鳴らすなど音による表示が含まれる。
【００２６】
ダムコントロールシステム１０は、複数の計測器で計測された複数の計測値を収集したり、各計測値に対する判別値（警報定数）を入力するなどのための処理を行うための端末Ａ１０４ａ、端末Ｂ１０４ｂ（以下、代表的な端末を１０４で参照することもある）を含んでいる。一つの端末で一つの測定器によって計測された測定値を処理してもよいし、一つの端末で複数の計測器からの計測値を処理することもできる。また、複数の端末１０４ａ、１０４ｂのそれぞれには、ディスプレイ１０６ａ、１０６ｂおよび入力装置１０８ａ、１０８ｂが接続されている。入力装置１０８ａ、１０８ｂはマウス、キーボード、テンキーなどで構成される。
【００２７】
警報表示装置１００は、端末Ａ１０４ａおよび端末Ｂ１０４ｂに接続されている。表示装置は、複数の計測器で計測された計測値を同時に表示する。つまり、複数の計測値を一つの警報表示装置１００でコンパクトに表示することができる。複数の計測値は、異なる場所に配置された計測器で計測された値であっても良い。さらに、河川に関する情報データの現在の測定値と、近い過去における測定値に関する情報を同時に表示することによって、警報を発するために必要な警報情報を得ることができる。このような構成によって、装置の利用者は多くの情報を一度に視覚的に認識することができ、警報を発するべき地域と警報レベルを素早く正確に判断することができる。このことから、迅速な防災体制を敷くことができ、災害を最小限に抑えることができる。
【００２８】
表示装置１００は、計測値を数値で表示する数字表示器１１０（１１０ａ、１１０ｂ、１１０ｃ、１１０ｄ）、および計測値に関する情報をグラフで表示する円形表示部１１２（１１２ａ、１１２ｂ、１１２ｃ、１１２ｄ）を含んでいる。円形表示部１１２では、円形のＬＥＤランプを用いて計測値に関する情報のグラフ表示を行う。このような構成によって、計測値及び表示項目によって表示形態を変えることで、監視に最適な運用を実現することができる。
【００２９】
以下で詳細に説明するように、表示装置１００の円形表示部１１２では、計測値に対する警報レベルの状態を表示する円図形は複数に分割される。円の分割数は設定された各警報定数の総数に対応しているため、警報定数を増やす場合は円図形の分割数が増えることになる。また、表示する円図形も省スペースであるため、警報の対象となる項目数を増やす場合でも、新たに設置スペースを考慮する必要もないので、装置の拡張性に優れている。
【００３０】
＜警報表示装置の構成＞
図２〜１５を参照して、警報表示装置１００の構成について説明する。
図２は、警報表示装置１００の機能ブロック図である。
警報表示装置１００は、数字表示部１１０、円形表示部１１２、表示制御部１１４、および装置の利用者の入力を受け付ける操作部１１６を含んでいる。表示制御部１１４は、入力処理部１２２、データ格納部１２４、判定部１２６、操作入力部１２８、表示出力部１３０、およびブザー１３２を含んでいる。表示出力部１３０は、数字表示部１１０、円形表示部１１２、およびブザー１３２に接続されている。操作入力部１２８は操作部１１６に接続されている。
【００３１】
入力処理部１２２は、ダムコントロールシステム１０の端末Ａ１０４ａおよび端末Ｂ１０４ｂに接続され、端末Ａ１０４ａおよび端末Ｂ１０４ｂからデータを受ける。これらの端末１０４から受けるデータには、計測器で計測された計測値や河川の沿岸地域の天気や時期等の気象条件などの河川情報、端末から入力された各計測値に対する判別値（警報定数）が含まれる。
【００３２】
入力処理部１２２で受けた計測値は、そのまま表示出力部１３０を介して、数字表示部１１０に送られる。
【００３３】
数字表示部１１０では、表示出力部１３０から送られる河川情報に関わる数値および／または警報定数（判別値）を数字で表示する。
【００３４】
データ格納部１２４には、端末Ａ１０４ａおよび端末Ｂ１０４ｂから受けた河川情報、およびデータ格納部１２４にシステム１０の利用者によって入力された判別値（警報定数）が格納される。データ格納部１２４には、河川情報の時系列データが格納される。すなわち、所定の時間だけ過去の時刻から現在までの河川情報に関する数値または記号データが格納される。たとえば、計測値は数値データとして、天候や時期（季節）は記号として格納される。
【００３５】
判定部１２６では、計測器で計測された計測値を判別値と比較して、表示部１１２での表示の仕方を判定する。以下で詳しく説明するが、図４に例が示されているように、表示部１１２は、円部３００（３００ａ、３００ｂ、３００ｃ、３００ｄ）、放射部３１０（３１０ａ、３１０ｂ、３１０ｃ、３１０ｄ）、外周部３２０（３２０ａ、３２０ｂ、３２０ｃ、３２０ｄ）を含んでいる。判定部１２６では、計測値に基づいて、円部３００ａ、３００ｂ、３００ｃ、３００ｄ、放射部３１０ａ、３１０ｂ、３１０ｃ、３１０ｄ、外周部３２０ａ、３２０ｂ、３２０ｃ、３２０ｄのうち、どこを点灯させるのか、または点滅させるのか、を判定する。判定部１２６によって判定された円形表示部１１２での表示の仕方は、表示出力部１３０に送られる。判別値は天気や季節（洪水期であるか、非洪水期であるかなど）によって自動的に変化させても良い。
【００３６】
また。判定部１２６では、データ格納部１２４に格納された河川情報に基づいて、ブザー１３２を鳴らすかどうかの判定を行う。判定部１２６は、ある計測値が複数の判別値の一つを超えるまたは下回ったときに、ブザー１３２を鳴らすと判定しても良い。判別値は、時期（季節）や天候によって変化しても良い。
【００３７】
操作部１１６の一例は、ボタンによって構成される。操作部１１６は、たとえば、ブザー１３２が警報音を発しているときに、ブザー１３２が鳴るのを止めるために警報表示装置１００の利用者によって操作される。
【００３８】
また、操作部１１６は、円形表示部１１２が無点灯状態、点滅状態および点灯状態の間の移行のために用いられる。たとえば、操作部１１６を操作することによって、円形表示部１１２は点滅状態から点灯状態へ移行する。計測値がある判別値を超えてある警報レベルになったときに、円形表示部１１２はまず点滅状態となり、装置１００の利用者に警報レベルになったことを知らせる。操作部１１６は、装置１００の利用者が、計測値が警報レベルになったことを確認するために用いられる。円形表示部１１２が点滅状態にある場合に、操作部１１６が操作されると、円形表示部１１２は点灯状態に移行する。
【００３９】
また操作部１１６には、警報表示装置１００の利用者が、後に説明する円形表示部１１２の表示を選択するための入力を行う。このために、操作部１１６は、ボタンやキーボードやテンキーを備えている。
【００４０】
操作部１１６に入力された警報表示装置１００の利用者の指示は操作入力部１２８に送られる。操作入力部１２８では、利用者の指示を表示出力部１３０に転送する。
【００４１】
表示出力部１３０は、数字表示部１１０、円形表示部１１２、およびブザー１３２と接続されている。表示出力部１３０は、端末１０４から受けた河川情報に関する数値や判別値（警報定数）などの警報情報や、データ格納部１２４に格納されている数値データを数字表示部１１０に出力する。
【００４２】
また、表示出力部１３０は、判定部１２６または操作入力部１２８から送られる情報に基づいて、ブザー１３２の動作に関する命令をブザー１３２に出力する。たとえば、判定部１２６でブザーを鳴らすという判定が行われたときには、ブザー１３２が鳴るような指命令をブザー１３２に出力する。また、操作入力部１２８から、ブザー１３２が鳴るのを止めるという命令を受けたときは、ブザー１３２が鳴るのを止めるような命令をブザー１３２に出力する。
【００４３】
また、表示出力部１３０は、判定部１２６で判定された円形表示部１１２の表示の仕方が実現するように、円形表示部１１２に命令を出力する。具体的には、円部３００ａ、３００ｂ、３００ｃ、３００ｄ、放射部３１０ａ、３１０ｂ、３１０ｃ、３１０ｄ、外周部３２０ａ、３２０ｂ、３２０ｃ、３２０ｄのそれぞれに対して、点灯／消灯または点滅を指示する情報を含む命令を出力する。以下では、円部３００ａ、３００ｂ、３００ｃ、３００ｄの点灯／消灯または点滅を指示する情報は円部表示情報、放射部３１０ａ、３１０ｂ、３１０ｃ、３１０ｄの点灯／消灯または点滅を指示する情報は放射部表示情報、外周部３２０ａ、３２０ｂ、３２０ｃ、３２０ｄの点灯／消灯または点滅を指示する情報は外周部表示情報と呼ぶことがある。
【００４４】
円形表示部１１２は、ＬＥＤ等のランプを集め、それらを円の形になるように配置することによって構成される。ランプのそれぞれは、表示出力部１３０からの命令によって点灯または消灯する。ランプが短い時間間隔で点灯と消灯を繰り返すとき、ランプは点滅すると呼ばれる。また、円形表示部１１２のランプは、複数のランプが同期して動作することによって、所定の情報に関する表示をする。円形表示部１１２の表示は、データ格納部１２４に格納されたデータを参照して判定部１２６でなされた判定に従って、または操作入力部１２８からの命令に従って、表示出力部１３０が円形表示部１１２の各ランプの動作を制御することによって得られる。
【００４５】
円形表示部１１２の表示は、警報表示装置１００の操作部１１６を介して利用者からの入力に基づいてレイアウトされる。利用者からの入力に関する情報を操作部１１６から受けた操作入力部１２８は、その情報を表示出力部１３０に送る。表示出力部１３０では、判定部１２６がデータ格納部１２４に格納されたデータおよび／または入力処理部１２２が外部の端末１０４から受けたデータに基づいて判定した、河川情報に関連する計測値に関する情報を警報情報と共に表示する。
【００４６】
＜円形表示部の表示＞
図３〜図１４を参照して、警報表示装置１００の円形表示部１１２の表示について説明する。  
図３では、円周３６０度が６等分されているが、これは一例に過ぎない。円周３６０度の分割数は、その円形表示部１１６で表示される計測値に対する判別値の数、すなわち警報定数の数に依存する。計測値に対する判別値は、データ格納部１２４に格納されている。計測値は複数の判別値によって、複数の警報レベルのうちどの警報レベルに属するかを判別される。したがって、警報定数の数が増えれば、円周３６０度の分割数は増える。表示制御部１１４の判定部１２６は、データ格納部１２４に格納されている計測値に対する判別値の数をカウントし、数字表示部１１０の表示の仕方を判定する。そして、表示出力部１３０を介して、円形表示部１１２の表示が判定された仕方となるように円形表示部１１２を制御する。
【００４７】
図３は、警報表示装置１００の円形表示部１１２の円部２００を用いた表示の例を示す図である。
【００４８】
以下での円形表示部１１２の円部２００の表示の説明は、そのような表示となるように表示出力部１３０から円形表示部１１２に出された円部表示情報、放射部表示情報、および外周部表示情報を含む命令を円形表示部１１２が実行する結果として得られる。
【００４９】
図３で示されているように、円部２００は、６つの円部セグメント２００ａ〜２００ｆに等分割される。これは、円形表示部１１２で表示される計測値に対応する、データ格納部１２４に格納されている判別値の数が６つの場合に相当する。計測値が第１の判別値を超えるとセグメント２００ａが点滅する。このとき同時にブザー１３２が鳴るように警報表示装置１００を構成しても良い。セグメント２００ａが点滅し、警報表示装置１００の構成によってはブザー１３２が鳴っている状態で、警報表示装置１００の利用者が操作部１１６に状況を確認した旨の入力をすると、ブザー１３２が鳴り止み、セグメント２００ａは点滅する状態から点灯する状態に遷移する。
【００５０】
さらに、計測値が第２の判別値を超えると、セグメント２００ｂが点滅する。この状態で警報表示装置１００の利用者が操作部１１６に状況を確認した旨の入力をすると、セグメント２００ｂは点滅する状態から点灯する状態に遷移する。以下、セグメント２００ｃ〜２００ｆについても、同様の表示がなされる。
【００５１】
また、円部２００の６つの円部セグメント２００ａ〜２００ｆは、２００ａと２００ｆの境界をゼロとして、セグメント２００ａ、２００ｂ、２００ｃは正の値の領域を、セグメント２００ｆ、２００ｅ、２００ｄは負の値の領域を表すようにしても良い。
【００５２】
図４は円部３００と外周部３１０と放射部３２０を含む円形表示部１１２の構成を示す図である。
【００５３】
図４では、円周３６０度が４等分されている。よって、円形表示部１１２の円部３００は４つの円部セグメント３００ａ、３００ｂ、３００ｃ、３００ｄ、放射部３１０は４つの放射部セグメント３１０ａ、３１０ｂ、３１０ｃ、３１０ｄ、外周部３２０は４つの外周部セグメント３２０ａ、３２０ｂ、３２０ｃ、３２０ｄを含む。
【００５４】
円形表示部１１２は、表示制御部１１４の判定部１２６からの命令によって変化する。
放射部３１０の各セグメント３１０ａ、３１０ｂ、３１０ｃ、３１０ｄは、円の中心から放射状に伸びている。放射部３１０のセグメント３１０ａは、円部３００の２つのセグメント３００ｄと３００ａに挟まれるように配置される。同様に、放射部３１０のセグメント３１０ｂは円部３００の２つのセグメント３００ａと３００ｂに挟まれるように、放射部３１０のセグメント３１０ｃは円部３００の２つのセグメント３００ｂと３００ｃに挟まれるように、放射部３１０のセグメント３１０ｃは円部３００の２つのセグメント３００ｃと３００ｄに挟まれるように配置される。
【００５５】
外周部３２０の外周部セグメント３２０ａ、３２０ｂ、３２０ｃ、３２０ｄのそれぞれは、対応する円部３００のセグメント３００ａ、３００ｂ、３００ｃ、３００ｄの円弧部分または円弧部分の外側に配置される。
【００５６】
以下での円形表示部１１２の各部、すなわち円部３００と放射部３１０と外周部３２０の表示の説明は、そのような表示となるように表示出力部１３０から円形表示部１１２に出された命令を円形表示部１１２が実行する結果として得られる。
【００５７】
円部の各セグメント３００ａ、３００ｂ、３００ｃ、３００ｄ、放射部３１０の各セグメント３１０ａ、３１０ｂ、３１０ｃ、３１０ｄ、外周部３２０の各セグメント３２０ａ、３２０ｂ、３２０ｃ、３２０ｄはそれぞれ、所定の色で点灯、点滅をする。一つのセグメントは複数の色が選択的に点灯、点滅するように構成されていても良い。
【００５８】
円部３００は、計測値の値を視覚的に表示する。円部の各セグメント３００ａ、３００ｂ、３００ｃ、３００ｄは複数の判別値（警報定数）によって区分けされる各領域に対応する。そして、計測値がどの領域に属するのかを、対応するセグメント３００ａ、３００ｂ、３００ｃ、３００ｄの点灯／点滅によって表示する。たとえば、円部３００のセグメント３００ａは、計測値が第１の警報レベルにある領域に相当するものとする。セグメント３００ａは、計測値が増加傾向にあるとき、計測値が判別値を超えて第１の警報レベルに達すると無点灯状態から点滅状態に移行する。そして、計測値が第１の警報レベルに達したことを、警報表示装置１００の利用者が操作部１１６を操作することによって確認すると、点灯状態に移行する。
【００５９】
円部の各セグメント３００ａ、３００ｂ、３００ｃ、３００ｄが点滅するか点灯するかはブザー１３２の動作と連動していても良い。たとえば、ブザー１３２が鳴っているときは、円部のセグメント３００ａ、３００ｂ、３００ｃ、３００ｄは点滅し、ブザー１３２が鳴り止むと点灯するように構成されても良い。
【００６０】
後に説明するように、円周３６０度が同一のスケールである必要はない。
また円部３００では、天気に関する情報を表示することができる。
【００６１】
たとえば円部３００が、計測値に関する情報と天気に関する情報を所定の時間間隔で交互に表示をするように構成されていても良い。このとき、天気に関する情報は、円部３００の円周３６０度を全て用いて、天気記号を表示しても良い。また天気のみならず、風向、風力、気圧、温度を含む天気図を表示しても良い。
【００６２】
円部３００のセグメント３００ａ、３００ｂ、３００ｃ、３００ｄのそれぞれは、判別値（警報定数）によって区切られる領域に対応するので、計測値がその領域の上限に近いのか、下限に近いのか、といった情報を表示することができない。そこで、放射部３１０の各セグメント３１０ａ、３１０ｂ、３１０ｃ、３１０ｄが点灯することによって、計測値が、それぞれ隣接する円部３００のセグメント３００ａ、３００ｂ、３００ｃ、３００ｄに対応する領域の上限または下限に近いことを表示する。放射部３２０を用いることによって、計測値が円部３００のセグメント３００ａ、３００ｂ、３００ｃ、３００ｄに対応する領域の上限に近いのか、下限に近いのかを視覚的に認識することができ、装置１００の利用者は、迅速に然るべき対応をとることができる。
【００６３】
外周部３２０は、たとえば、計測値が減少傾向にあるとき、近い過去においては第２の警報レベルにあったが、現在は第２の警報レベルより低い第１の警報レベルにあるような場合に利用される。この場合、第２の警報レベルに相当する外周部３１０のセグメントが点灯することによって、警報レベルが低くなる傾向にあることを示すことができる。
【００６４】
この外周部３２０の各セグメント３２０ａ、３２０ｂ、３２０ｃ、３２０ｄは、警報表示装置１００の利用者が操作部１１６を操作することによって消灯させることができる。
【００６５】
このように、円部３００は、それぞれ複数の表示モード（点灯、点滅、消灯）を有し、全てが組み合わさって略円形を形成する複数の円部セグメント３００ａ、３００ｂ、３００ｃ、３００ｄを含み、円部表示情報に基づいて、警報レベルに対応する複数の円部セグメント３００ａ、３００ｂ、３００ｃ、３００ｄの表示モード（点灯、消灯）が変化するように構成される。
【００６６】
放射部３１０は、それぞれ複数の表示モード（点灯、消灯）を有し、複数の判別値に対応するように複数の円部セグメント３００ａ、３００ｂ、３００ｃ、３００ｄのうち、隣接する２つのセグメントに挟まれて配置される複数の放射部セグメント３１０ａ、３１０ｂ、３１０ｃ、３１０ｄを含み、表示制御部１１４から送られる放射部表示情報に基づいて、前記複数の判別値の一つに対応する前記複数の放射部セグメント３１０ａ、３１０ｂ、３１０ｃ、３１０ｄの一つの前記表示モード（点灯、消灯）が変化するように構成される。
【００６７】
外周部３２０は、円部３００の複数の円部セグメント３００ａ、３００ｂ、３００ｃ、３００ｄのそれぞれ対応し、それぞれ複数の表示モード（点灯、消灯）を有し、全てが組み合わさって略円を形成する複数の外周部セグメント３２０ａ、３２０ｂ、３２０ｃ、３２０ｄを含み、複数の外周部セグメント３２０ａ、３２０ｂ、３２０ｃ、３２０ｄのそれぞれは、表示制御部１１４から送られる外周部表示情報に基づいて、表示モード（点灯、消灯）が変化し、外部から入力される確認を示す命令に対応して、表示モード（点灯、消灯）が元に戻るように構成される。
【００６８】
上記円部表示情報、放射部表示情報、および外周部表示情報は、表示制御部１１４から送られる。表示制御部１１４は、計測値が複数の判別値で区分けされる計測値の領域のどの領域に属するか、および計測値が複数の判別値の一つに近いかどうかを判定し、計測値が属する領域を円部表示情報として、計測値が前記複数の判別値の一つに近い場合には前記複数の判別値の一つに関する情報を放射部表示情報として、計測値が対応する複数の円部セグメントの一つがカバーする領域にある状態からそうでない状態への変化が生じたかどうかを判定し、さらに、もし前記変化が生じたときには前記変化に関する情報を外周部表示情報として送る機能を有する。
【００６９】
このように警報表示装置１００の円形表示部１１２は、円形状の円部３００と、円の中心から放射状に伸びる線で形成される放射部３１０と、円部を囲むように配置された外周部３２０とを含んでいる。本実施形態では、円部３００は円形状であるが、個々の計測値の判別値に対する相対的なレベルが認識しやすければ、楕円であってもよいし、他の形状でも良い。
【００７０】
また、円部３００の色や表示モード（消灯、点滅、点灯）の種類を増やすことも可能であるが、本実施形態では、色や表示モード（消灯、点滅、点灯）の種類を増やすことなく、放射部３１０や外周部３２０の点灯／消灯によって多くの情報を表示することができる。よって、装置１００の利用者は色や表示モードの表示と意味を対応付ける作業から開放され、点灯の有無といった直接的な表示によって、状況を把握することができる。
【００７１】
また、本実施形態では、警報表示装置１００の円形表示部１１２は、円部３００の他に、放射部３１０、外周部３２０を備えており、視覚的に多くの情報を表示することができる。このような構成を採用することによって、ブザー音などの音を頻繁に発する必要がない。ブザー音が鳴る頻度を小さくすることによって、装置１００の利用者同士の会話が遮られることもなく、ヒューマンエラーを減らすことができる。
【００７２】
図５〜図７を参照して、警報表示装置１００の円形表示部１１２の円部で用いられるスケールについて説明する。ここで、「スケール」とは、円部において単位角度あたりの弧がカバーする計測値の大きさを意味する。
【００７３】
図５は、警報表示装置１００の円形表示部１１２の円部４００を用いた表示における円部の不均一な領域分割の例を示す図である。
【００７４】
図５に示されている円部４００の例では、円周３６０度が６等分されている。即ち、円部４００の各セグメント４００ａ〜４００ｆの中心角θ１〜θ６は全て等しい。しかしながら、各中心角θ１〜θ６がカバーする値の大きさが異なる。
【００７５】
図５に示されている例では、円部４００は、「定常」で示されている定常状態を示すセグメント４００ａ、「警報１」で示されている第１の警報レベルの状態を示すセグメント４００ｂから「警報５」で示されている第５の警報レベルの状態を示すセグメント４００ｆまでの５つの警報レベルの状態を示すセグメント４００ｂ〜４００ｆの６つの領域を含んでいる。定常状態とは、計測値の値が２００〜３００の間にある状態である。つまり、定常状態の最小値である定常最小値２００であり、最大値である定常最大値は３００である。定常最大値は第１の判別値の値（警報最小値）である。第２の警報レベルの状態とは、計測値の値が警報最小値である３００から第１の警報値（警報値１）３１０の間にある状態である。第３の警報レベルの状態とは、計測値の値が第１の警報値（警報値１）３１０から第２の警報値（警報値２）３２０の間にある状態である。以下、計測値の値が１０増える毎に警報レベルが上がって行き、第５の警報レベルの状態とは、計測値の値が第４の警報値（警報値４）３４０から第５の警報値（警報値５）３５０の間にある状態である。定常最小値、定常最大値、警報値１〜５は判別値である。
【００７６】
このようにセグメント４００ａの中心角θ１は計測値にして１００の大きさの範囲をカバーするが、他のセグメント４００ｂ〜４００ｆの中心角θ２〜θ６はそれぞれ、計測値にして１０の大きさの範囲をカバーする。中心角θ１と中心角θ２〜θ６はそれぞれがカバーする計測値の大きさは１：１０である。したがって、計測値がどの警報レベルにあるのかを細かく見ることができる。
【００７７】
図６は、警報表示装置１００の円形表示部１１２の円部５００を用いた表示における円部の不均一な領域分割の別の例を示す図である。
【００７８】
図６に示されている例では、円部５００は、定常状態を示すセグメント５００ａ、「警報１」で示されている第１の警報レベルの状態を示すセグメント５００ｂから「警報３」で示されている第３の警報レベルの状態を示すセグメント５００ｄまでの３つの警報レベルの状態５００ｂ〜５００ｄの４つの領域を含んでいる。各セグメントは、定常最小値、定常最大値、警報値１、警報値２、警報最大値で分割される。
また、円部５００の各セグメント５００ａ〜５００ｄの中心角φ１〜φ５は等しくない。詳細には、定常状態を示すセグメント５００ａの中心角φ１は９０度、第１の警報レベルの状態を示すセグメント５００ｂの中心角φ２は４５度、第２および第３の警報レベルの状態を示すセグメント５００ｃおよび５００ｄの中心角φ３およびφ４は２２．５度である。このようにセグメント５００ａでは単位角度あたり計測値にして約０．１１の大きさをカバーし、セグメント５００ｂでは単位角度あたり計測値にして約０．２２の大きさをカバーし、セグメント５００ｃおよび５００ｄでは単位角度あたり計測値にして約０．４４の大きさをカバーする。
【００７９】
ダムが管理しているダム貯水位や河川水位は、場所や計測地点によって取り得る計測値のスケールが異なる。定常状態の範囲が極端に広く、警報状態の数が多いのにも関わらず一つ一つの警報定数の値の差分が小さいときに、図６のような表示は有効である。
【００８０】
図７は警報表示装置１００の円形表示部１１２の円部６００を用いた表示における円部の均一な領域分割の例を示す図である。
【００８１】
図７に示されている円部６００は、円周３６０度が６等分されて得られるセグメント６００ａ〜６００ｆを含んでいる。
【００８２】
図７に示されている円部６００は、全周にわたり、単位角度がカバーする計測値の大きさが等しい。円の中心から垂直方向は、計測値の最小値２００および最大値３５０を示すとすると、単位角度あたり計測値にして約０．４２の大きさをカバーする。
【００８３】
このように、図７に示されている円部６００では、全周にわたりスケールが同一なので、計測値の大きさを直感的に把握することができる。
【００８４】
図７に示されている表示を用いて、図５に示されているものと同一の判別値を有する計測値の表示を行うことを考える。
【００８５】
この場合、定常状態はセグメント６００ａ〜６００ｄの４つのセグメントを含む。つまり、「定常」で示されている定常状態を示すセグメント６００ａの中心角ψ１は２４０度であり、円周３６０度の２／３を占める。警報値１と警報値２はセグメント６００ｅに含まれている。さらに、警報値３および警報値４はセグメント６００ｆに含まれている。よって、図７に示されている円部６００の表示では、第１と第２の警報レベルの状態を区別することができない。さらに、第４と第５の警報レベルの状態を区別することができない。しかしながら、上述のように、図７に示されている表示は計測値の大きさを直感的に把握したい場合には好適である。
【００８６】
図８を参照して、警報表示装置１００の円形表示部１１２の円部で正負の値を持ち得る計測値の表示について説明する。
【００８７】
図８は警報表示装置１００の円形表示部１１２の円部７００を用いた正負の値を持つ計測値の表示の例を示す図である。
【００８８】
図８に示されている円部７００は、円周３６０度が８等分されて得られるセグメント７００ａ〜７００ｈを含んでいる。円の中心から垂直方向は計測値の基準値２００を示すものとする。この計測値は、基準値から増加する方向には、すなわち右回りの方向には、上限定常最大値、上限警報値１、上限警報値２、および上限警報最大値なる判別値を有している。ここで、上限定常最大値は３００、上限警報値１は３２０、上限警報値２は３４０、上限警報最大値は３６０である。そして、円部７００の右半円を４等分し、基準値に近い順にセグメント７００ａ〜７００ｄを配置する。また、この計測値は、基準値より減少する方向には、すなわち左回りの方向には、下限定常最小値、下限警報値１、下限警報値２、および下限警報最小値なる判別値を有している。ここで、下限定常最小値は１００、下限警報値１は８０、下限警報値２は６０、下限警報最小値は４０である。そして、円部７００の左半円を４等分し、基準値に近い順にセグメント７００ｅ〜７００ｈを配置する。
【００８９】
一般に、ダムの貯水位や河川の水位は上下限ともに警報定数が設定される。一つの表示で正負両方向の定数を識別できることで、過剰にスペースを確保することなく二つの定数を監視することができ、計測値の現在値と基準値を比較したときの大小を容易に識別することができる。
【００９０】
次に図９Ａ〜図９Ｂを参照して、警報表示装置１００の円形表示部１１２の放射部の表示について説明する。
【００９１】
図９Ａおよび図９Ｂはそれぞれ、警報表示装置１００の円形表示部１１２の円部８００と放射部８１０を用いた計測値がある警報レベルの領域の上限および下限付近にある場合の表示の例を示す図である。
【００９２】
図９Ａおよび図９Ｂに示されている円形表示部１１２は円部８００と放射部８１０を含んでいる。円部８００は、円周３６０度が６等分されて得られるセグメント８００ａ〜８００ｈを含んでいる。また、円の中心から垂直方向に伸びる放射部８１０のセグメント８１０ａに加え、円部８００のセグメント８００ａと８００ｂの間に放射部８１０のセグメント８１０ｂ、セグメント８００ｂと８００ｃの間に放射部８１０のセグメント８１０ｃ、セグメント８００ｃと８００ｄの間に放射部８１０のセグメント８１０ｄ、セグメント８００ｄと８００ｅの間に放射部８１０のセグメント８１０ｅ、セグメント８００ｅと８００ｆの間に放射部８１０のセグメント８１０ｆを含んでいる。放射部８１０のセグメント８１０ａは計測値の基準値を示すものとする。円部８００のセグメント８００ｃは２つの判別値に挟まれた領域を示すが、それらの２つの判別値をそれぞれ上限値と下限値と呼ぶことにする。下限値は３００、上限値は３２０とする。
【００９３】
図９Ａは、計測値が３１５であるときの円形表示部１１２の円部８００と放射部８１０の表示の例である。計測値の３１５という値は、上限値は３２０に近い値である。その事実を示すために、この場合は、計測値が含まれる警報レベルの状態に対応する円部８００のセグメント８００ａ〜８００ｃが点灯すると同時に、セグメント８００ｃに隣接する上限値に対応する放射部８１０のセグメント８１０ｄが点滅する。
【００９４】
図９Ｂは、計測値が３０５であるときの円形表示部１１２の円部８００と放射部８１０の表示の例である。計測値の３０５という値は、下限値は３００に近い値である。その事実を示すために、この場合は、計測値が含まれる警報レベルの状態に対応する円部８００のセグメント８００ａ〜８００ｃが点灯すると同時に、セグメント８００ｃに隣接する下限値に対応する放射部８１０のセグメント８１０ｃが点滅する。
【００９５】
たとえば、雨天時、ダム湖に流入する水量（以下、流入量とする）が増加することにより、ダム湖から放流する水量である放流量を増やす必要がある。放流量はダム側の操作により一定量にすることが可能であるが、流入量は雨量によって変動する。この場合、装置１００の利用者は、流入量が増加しているか減少しているかを判定し、増加する方向の場合には放流量を更に増やし、減方向の場合には放流量を減らすための操作を行うことができる。
【００９６】
次に、図１０〜１２を参照して、警報表示装置１００の円形表示部１１２の外周部の表示について説明する。
【００９７】
図１０は、警報表示装置１００の円形表示部１１２の外周部９２０の表示の例を示す図である。
【００９８】
図１０に示す円形表示部１１２は、円部９００および外周部９２０を含んでいる。円部９００は、円周３６０度が６等分されて得られるセグメント９００ａ〜９００ｆを含んでいる。外周部９２０はセグメント９２０ａ〜９２０ｆを含み、それらのセグメント９２０ａ〜９２０ｆのそれぞれは、円部９００のセグメント９００ａ〜９００ｆのそれぞれの弧の部分に対応して、円部９００の輪郭の外側に配置されている。
【００９９】
外周部９２０が用いられる状況の例について、図１１〜１２を用いて説明する。
図１１は、水位の計測値の時間変化を示すグラフである。横軸が時間で、縦軸が水位の計測値を示す。
【０１００】
図１１に示されている水位の計測値は、定常状態から徐々に上昇し時刻Ｔ１で第１の判別値（警報レベル１）を超える。そして、第２の判別値（警報レベル２）を超えることなく、時刻Ｔ２で第１の判別値（警報レベル１）を下回り、定常状態に達する。
【０１０１】
水位の計測値が図１１に示されているような時間変化を示すときの円形表示部１１２の表示の時間変化を図１２Ａ〜１２Ｅに示す。
【０１０２】
図１２の表示で用いられる円形表示部１１２は、円部１０００および外周部１０２０を含んでいる。円部１０００は、円周３６０度が４等分されて得られるセグメント１０００ａ〜１０００ｄを含んでいる。外周部１０２０はセグメント１０２０ａ〜１０２０ｄを含み、それらのセグメント１０２０ａ〜１０２０ｄのそれぞれは、円部１０００のセグメント１０００ａ〜１０００ｄのそれぞれの弧の部分に対応して、円部１０００の輪郭の外側に配置されている。
【０１０３】
円部１０００のセグメント１０００ａがカバーする計測値の下限は第１の判別値（警報レベル１）であり、上限が第２の判別値（警報レベル２）である。セグメント１０００ｂがカバーする計測値の下限は第２の判別値（警報レベル２）であり、上限が第３の判別値（警報レベル３）である。
【０１０４】
図１２Ａは水位の計測値が定常状態にある場合での、つまり時刻Ｔ１以前の時間帯における円形表示部１１２の表示の例である。この状態では、円部のセグメント１０００ａ〜１０００ｄは点灯も点滅もせず、外周部１０２０はセグメント１０２０ａ〜１０２０ｄも点灯しない。
【０１０５】
図１２Ｂは、水位の計測値が正常値から第１の警報レベルに達するとき、つまり時刻Ｔ１における表示の例である。このとき、円部１０００のセグメント１０００ａが点滅する。また、セグメント１０００ａの点滅と同時に、ブザー１３２が警報音を発し、測定値が第１の判別値（警報レベル１）を超えたことを装置１００の利用者に伝える。
【０１０６】
セグメント１０００ａの点滅やブザー１３２からの警報音によって測定値が第１の判別値（警報レベル１）を超えたことを知った装置１００の利用者が、操作部１１６を操作すると、図１２Ｃのように、円部１０００のセグメント１０００ａは点滅状態から点灯状態に移行する。セグメント１０００ａの点滅状態から点灯状態への移行と同時に、ブザー１３２は鳴り止む。このときの円形表示部１１２の表示は、計測値は、第１の判別値（警報レベル１）と第２の判別値（警報レベル２）の間にあり、利用者がこの事実を認識していることを示している。
【０１０７】
図１２Ｄは、計測値が減少して、時刻Ｔ２で再び第１の判別値（警報レベル１）を横切って定常状態に達したときの円形表示部１１２の表示の例である。図１２Ｄに示されている表示では、円部１０００のセグメント１０００ａが点灯すると共に、外周部１０２０のセグメント１０２０ａが点灯する。このときの円形表示部１１２の表示は、計測値が、第１の判別値（警報レベル１）より大きな値から減少して第１の判別値（警報レベル１）を下回り、利用者はまだこの事実を認識していないことを示している。この場合、外周部１０２０は、計測値が直前には、第１の判別値（警報レベル１）より大きな値にあったことを示している。つまり、外周部１０２０を用いることによって、計測値の近い過去に関する情報を示すことができる。すなわち、外周部１０２０を用いることによって、計測値がある判別値を下回り警報レベルが下がったことを表示することができる。
【０１０８】
円部１０００のセグメント１０００ａと外周部１０２０のセグメント１０２０ａの点灯によって、計測値が第１の判別値（警報レベル１）より大きな値から減少して定常状態に達したことを知った装置１００の利用者が、操作部１１６を操作すると、図１２Ｅのように、円部１０００のセグメント１０００ａと外周部１０２０のセグメント１０２０ａは点灯状態から無点灯状態に移行する。
【０１０９】
このように、外周部１０２０を用いることによって、計測値がある判別値を下回り警報レベルが下がったことを示すことができる。つまり、河川に関する情報データの現在の測定値のみならず、計測値の動きに関する情報を用いて河川の状況を判断することができる。
【０１１０】
また、外周部１０２０を用いることによって、天気に関する情報を表示することができる。たとえば、外周部１０２０の色によって天気を表示することができる。ダムのような計測値を監視する分野では、天気は非常に注意すべき要因であるため、外周部１０２０を用いて天気を表示することで、測定値が判別値を超えた原因の推測を助けることができる。また、計測値が増加傾向にあれば青、減少傾向にあれば赤というように、計測値の動きに関する情報を表示することもできる。
【０１１１】
図１３は、円形表示部１１２の円部の分割数は判別値の数のみならず、時期および天気などの気象条件に依存する領域分割の例を示す図である。
【０１１２】
図１３に示されている例では、時期が非洪水期で天気が晴れの場合は、「定常」で示されている定常状態を示すセグメントの面積は、「警報」で示されている警報レベルの状態を示すセグメントの面積より大きい。時期が非洪水期で天気が曇りの場合は、「定常」で示されている定常状態と「警報」で示されている警報レベルの状態を示すセグメントの面積はほぼ同じである。時期が非洪水期で天気が雨の場合は、「警報」で示されている警報レベルの状態を示すセグメントの面積は、「定常」で示されている定常状態を示すセグメントの面積より大きい。洪水期では、非洪水期と比べて、「警報」で示されている警報レベルの状態を示すセグメントの面積は大きい。
【０１１３】
例えば、洪水期と非洪水期、昼と夜、天気などで貯水位の取り得る値は変動し、監視員が必要とする詳細は異なる。円形表示部１１２の円部は、天気や季節によって、自動的に表示スケールを変動するように構成される。たとえば、定常状態が長く続くと予想される晴れの日には定常スケールを大きくし、警報状態になると予想される雨の日には警報スケールを大きくする。このような構成を採用することで、必要な情報を細かく監視することができる。
【０１１４】
表１は、非洪水期における天気と季節の違いによる判定値の設定例である。
【０１１５】
【表１】
0005928116.tif 000002
表１に示されているように、ダムの水位の計測値に対する判別値および判別値の数、さらに円部のスケールを変化させる。表１に示されている例では、晴れの場合は第１〜第４の判別値の計４つの判別値が設定される。また、曇りの場合は、第１〜第５の判別値の計５つの判別値が設定される。雨の場合は、第１〜第６の判別値の計６つの判別値が設定される。また、第１の判別値は天気によって変わらないが、円部で第２の判別値を示す位置は、晴れ、くもり、雨と天気が悪化するに従い、垂直方向からの角度が小さくなる。
【０１１６】
表２は、洪水期における天気と季節の違いによる判定値の設定例である。
【０１１７】
【表２】
0005928116.tif 000003
表２に示されているように、ダムの水位の計測値に対する判別値および判別値の数、さらに円部のスケールを変化させる。表２に示されている例では、晴れの場合は第１〜第５の判別値の計５つの判別値が設定される。また、曇りの場合は、第１〜第６の判別値の計６つの判別値が設定される。雨の場合は、第１〜第７の判別値の計７つの判別値が設定される。また、第１の判別値は天気によって変わらないが、円部で第２の判別値を示す位置は、晴れ、くもり、雨と天気が悪化するに従い、垂直方向からの角度が小さくなる。
【０１１８】
表３は天気と季節の違いによる判別値の数である。
【０１１９】
【表３】
0005928116.tif 000004
表１〜表３に示されている情報は、警報表示装置１００のデータ格納部１２４にテーブルとして格納され、天気、季節に対応して、円形表示部１１２の円部の分割やスケールを変化させる。
【０１２０】
図１４および１５を参照して、警報表示装置１００の円形表示部１１２の円部で天気を表示する例について説明する。
【０１２１】
図１４は、警報表示装置１００の円形表示部１１２の円部による天気の表示の例を示す図である。図１５は、天気の表示の記号の例を示す図である。
【０１２２】
図１４に示されている円形表示部１１２の円部では、時間Ｔｎ以前では計測値に関する情報が、時間Ｔｎ〜Ｔｎ＋１では天気に関する情報が、時間Ｔｎ＋１以後では、再び計測値に関する情報が表示される。時間Ｔｎ以前および時間Ｔｎ＋１以後での計測値に関する情報の表示の例は、図５〜１０、１２に示されているような表示である。時間Ｔｎ〜Ｔｎ＋１では天気に関する情報は、図１５に示されているような天気図によって表示される。
【０１２３】
表示器が設置される宿直室や監視室では窓など外が見えない部屋であることがある。計測値に異常や警報が発生した際や通常時でも、天気情報が定期的に見ることができれば、移動してから天気を確認する手間が省くことができる。切り替えるタイミングは１回／秒や１回／分など任意に変更することができ、通常時と警報発生時とで分けることも可能である。
【０１２４】
次に、図１６Ａ〜Ｄを参照して、円形表示部１１２の円部１１００と放射部１１１０と外周部１１２０を用いて天気とダムの水位の計測値の増減を同時に示す表示の例について説明する。
【０１２５】
図１６Ａ〜Ｄに示されている警報表示装置１００の円形表示部１１２は、円部１１００と放射部１１１０と外周部１１２０を含む。円部１１００は、円周３６０度が４等分され、このことに対応して４つのセグメント１１００ａ、１１００ｂ、１１００ｃ、１１００ｄを含む。放射部１１２０のセグメント１１２０ａは、円部１１００の２つのセグメント１１００ｄと１１００ａに挟まれるように配置される。同様に、放射部１１２０のセグメント１１２０ｂは円部１１００の２つのセグメント１１００ａと１１００ｂに挟まれるように、セグメント１１２０ｃはセグメント１１００ｂと１１００ｃ、セグメント３２０ｃはセグメント３００ｃと３００ｄに挟まれるように配置される。
【０１２６】
また放射部１１１０の４つのセグメント１１２０ａ、１１２０ｂ、１１２０ｃ、１１２０ｄは円部１１００で示される計測値の大きさとしては、それぞれ、第１から第４の判別値に相当する。よって、円部１１００の４つのセグメント１１００ａ〜１１００ｄはそれぞれ、計測値が第１〜第４の警報レベルにある状態に対応する。
【０１２７】
本例では、放射部１１１０のセグメントは、隣接する円部のセグメントがカバーする領域内にある計測値が増加傾向にあるのか、減少傾向にあるのかを表示する。たとえば、図１６Ａに示されているように、円部１１００のセグメント１１００ｂの上限に隣接する放射部１１１０のセグメント１１１０ｃが点灯している場合には、計測値は第２と第３の判別値の間にあり、増加傾向にあることを示す。
【０１２８】
外周部１１２０は本例では分割されないが、天気によって異なる色を発する。外周部１１２０は、晴れであれば点灯しないが、雨であれば青色で、曇りであれば緑色で、台風であれば赤色で、雪であれば白色で点灯する。
【０１２９】
図１６Ａは、警報表示装置１００の円形表示部１１２の円部の円部１１００と外周部１１１０と放射部１１２０を用いて天気とダムの水位の計測値の増減を同時に示す表示の例を示す図である。
【０１３０】
図１６Ａでは、円部１１００の２つのセグメント１１００ａと１１００ｂが点灯し、さらに、円部１１００のセグメント１１００ｂの上限に隣接する放射部１１１０ｃが点灯している。また外周部１１２０は点灯していない。この表示は、まず、天気が晴れであること示している。また、ダムの水位の計測値が第２の警報レベルにあることを示している。さらに、計測値は第２と第３の判別値の間にあり、増加傾向にあることを示している。
【０１３１】
この表示からによれば、天気が雨ではないにも関わらず水位の計測値が増加しており、計測値の増加の原因が明らかではない。よって、装置１００の利用者は、計測値の増加の原因究明が必要であることが分かる。
【０１３２】
図１６Ｂでは、円部１１００の２つのセグメント１１００ａと１１００ｂが点灯し、さらに、円部１１００のセグメント１１００ｂの下限に隣接する放射部１１１０ｂが点灯している。この表示は、まず、天気が晴れであること示している。また、計測値が第２の警報レベルにあることを示している。さらに、計測値は第２と第３の判別値の間にあり、減少傾向にあることを示している。
【０１３３】
この表示からは、計測値が第２の警報レベルにあるが、天気が晴れで、水位の計測値も減少傾向にあることがわかる。よって、時間が経過すればダムの水位の計測値は正常状態に戻ると予想される。またこの表示は、ダムの水位を保つために放流量を控える等の対策を講じる判断材料を提供する。
【０１３４】
図１６Ｃでは、円部１１００の２つのセグメント１１００ａと１１００ｂと、円部１１００のセグメント１１００ｂの上限に隣接する放射部１１１０ｃが点灯し、さらに外周部１１２０が点灯している。
【０１３５】
この表示からによれば、ダムの水位の増加は雨によるものであると判断することができる。また、計測値が第２の警報レベルにあるので、それに対応する通常の防災体制を敷くことができる。
【０１３６】
図１６Ｄでは、円部１１００の２つのセグメント１１００ａと１１００ｂと、円部１１００のセグメント１１００ｂの下限に隣接する放射部１１１０ｂが点灯し、さらに外周部１１２０が点灯している。
【０１３７】
この表示からによれば、ダムの水位は雨による増加より放流による減少の方が大きいことを推測することができる。放流量が過多の場合は、放流量を減少させ、ダムにつながる河川での災害の可能性を減らす等の対策をとることができる。
【０１３８】
次に、図１７〜１８を参照して、正負の値を持つ計測値を、円形表示部１１２の円部１１００を用いて表示する例について説明する。円形表示部１１２は、図１６と同様に、円部１１００と放射部１１１０と外周部１１２０を含んでいる
図１７は、河川の水位の計測値の変化の例を示す図である。横軸は時間である。しかしながら、図１７は、ある時刻における河川に沿った水位の変化であると読んでも良い。
【０１３９】
本例では、水位には下限値が存在する。下限値は計測値が０の場合であり、計測値が下限値より小さい場合は、負の値となる。また正方向には、上限１と上限２の２つの判別値が設定されている。円部１１００のセグメント１１００ａは、下限値と上限１の間を、セグメント１１００ｂは上限１と上限２の間を、セグメント１１００ｃは上限２より大きい値をカバーする。また、セグメント１１００ｄは、計測値が下限値より小さい負の値をカバーする。
【０１４０】
図１７に示されているように、領域１では、計測値は下限値と上限１の間にある。領域２では、計測値は上限値１と上限値２の間にある。領域３では、計測値は下限値より小さい領域にある。領域３では、計測値は上限２より大きい。
【０１４１】
図１８Ａは、計測値が下限値と上限１の間にある場合の円形表示部１１２の表示の例である。この場合、円部１１００のセグメント１１００ａが点灯している。
【０１４２】
図１８Ｂは、計測値が上限１と上限２の間にある場合の円形表示部１１２の表示の例である。この場合、円部１１００のセグメント１１００ａと１１００ｂが点灯している。
【０１４３】
図１８Ｃは、計測値が下限値より小さい場合の表示の例である。このとき、円部１１００のセグメント１１００ｄは点灯している。
【０１４４】
図１８Ｄは、計測値が上限２より大きい場合の円形表示部１１２の表示の例である。この場合、円部１１００のセグメント１１００ａと１１００ｂと１１００ｃが点灯している。
【０１４５】
このように、円形表示部１１２は、計測値が負を取る場合にも対応できる。
次に図１９を用いて、図２の警報表示装置１００に使用可能なコンピュータ１２００の構成の例について説明する。
【０１４６】
コンピュータ１２００は、ＭＰＵ１２０２、ＲＯＭ１２０４、ＲＡＭ１２０６、ハードディスク装置１２０８、入力装置１２１０、表示装置１２１２、インタフェース装置１２１４、及び記録媒体駆動装置１２１６を備えている。なお、これらの構成要素はバス１２２０を介して接続されており、ＭＰＵ１２０２の管理の下で各種のデータを相互に授受することができる。
【０１４７】
ＭＰＵ（Ｍｉｃｒｏ  Ｐｒｏｃｅｓｓｉｎｇ  Ｕｎｉｔ）１２０２は、このコンピュータ１２００全体の動作を制御する演算処理装置であり、コンピュータ１２００の制御処理部として機能する。
【０１４８】
ＲＯＭ（Ｒｅａｄ  Ｏｎｌｙ  Ｍｅｍｏｒｙ）１２０４は、所定の基本制御プログラムが予め記録されている読み出し専用半導体メモリである。ＭＰＵ１２０２は、この基本制御プログラムをコンピュータ１２００の起動時に読み出して実行することにより、このコンピュータ１２００の各構成要素の動作制御が可能になる。
【０１４９】
ＲＡＭ（Ｒａｎｄｏｍ  Ａｃｃｅｓｓ  Ｍｅｍｏｒｙ）１２０６は、ＭＰＵ１２０２が各種の制御プログラムを実行する際に、必要に応じて作業用記憶領域として使用する、随時書き込み読み出し可能な半導体メモリである。
【０１５０】
ハードディスク装置１２０８は、ＭＰＵ１２０２によって実行される各種の制御プログラムや各種のデータを記憶しておく記憶装置である。ＭＰＵ１２０２は、ハードディスク装置１２０８に記憶されている所定の制御プログラムを読み出して実行することにより、後述する各種の制御処理を行えるようになる。このコンピュータ１２００を図２の警報表示装置１００として使用する場合には、このハードディスク装置１２０８が、データ格納部１２４として利用され得る。
【０１５１】
入力装置１２１０は、図２の操作部１１６に相当する。図２の装置の利用者により操作されると、その操作内容に対応付けられている各種情報の入力を取得し、取得した入力情報をＭＰＵ１２０２に送付する。
【０１５２】
表示装置１２１２は、図２の数字表示部１１０、円形表示部１１２、ブザー１３２に相当し、ＭＰＵ１２０２から送付されるデータに応じて数字、図面、音声等の表示を行う。
【０１５３】
インタフェース装置１２１４は、このコンピュータ１２００に接続される各種機器との間での各種情報の授受の管理を行う。より具体的には、インタフェース装置１２１４は、例えば、図２の端末Ａ１０４ａ、端末Ｂ１０４ｂから通信ネットワークを介して行われる、河川データ等のデータの受け取りを管理する。
【０１５４】
記録媒体駆動装置１２１６は、可搬型記録媒体１２１８に記録されている各種の制御プログラムやデータの読み出しを行う装置である。ＭＰＵ１２０２は、可搬型記録媒体１２１８に記録されている所定の制御プログラムを、記録媒体駆動装置１２１６を介して読み出して実行することによって、後述する各種の制御処理を行うようにすることもできる。なお、可搬型記録媒体１２１８としては、例えばＵＳＢ（Ｕｎｉｖｅｒｓａｌ  Ｓｅｒｉａｌ  Ｂｕｓ）規格のコネクタが備えられているフラッシュメモリ、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）などがある。
【０１５５】
このようなコンピュータ１２００を用いて図２の警報表示装置１００を構成するには、例えば、後述する各種の制御処理をＭＰＵ１２０２に行わせるための制御プログラムを作成する。作成された制御プログラムはハードディスク装置１２０８若しくは可搬型記録媒体１２１８に予め格納しておく。そして、ＭＰＵ１２０２に所定の指示を与えてこの制御プログラムを読み出させて実行させる。こうすることで、警報表示装置１００が備えている機能がＭＰＵ１２０２により提供される。従って、このコンピュータ１２００が警報表示装置１００として機能するようになる。
【０１５６】
以上のような構成を採用することによって、防災管理装置やシステム、国や地方自治体、または公的機が定めた防災に関する規則等に必ずしも精通していない者でも、計測器で計測された情報から、素早く正しい警報を発することができる。
【０１５７】
また、上記実施形態を河川での災害に対する警報表示装置として用いれば、複数の計測値に対する警報レベルを容易に認識することができる。また、ダムの管理所のように、ダム湖及び河川の水位を監視するために、上限ならびに下限の警報定数が設けられている場合、正方向（上限）の警報定数のみならず、負方向（下限）の状況を監視することもできる。さらに、表示スケールにおいても、表示する計測値は定常値でも警報値でも、全ての領域で同一の尺度とは限らないため、警報レベルに達した際に、計測値の詳細を視覚的に確認することができる。
【０１５８】
さらに、上記実施形態を河川での災害に対する警報表示装置として用いると、水位や雨量等の計測値の現在の値の大きさのみならず、測定値が増加傾向にあるのか減少傾向にあるのかなど計測値の動きに関する情報も表示することができる。計測値がある判別値を下回り警報レベルが下がったという情報を視覚的に認識することができる。特に、計測値が複数の判別値の一つを超えるとブザーが鳴ったり、警報ランプが点滅することで警報に関する情報を表示する装置で、計測値が判別値を下回るとブザーが鳴り終えたり、警報ランプが消灯してしまっても、災害の可能性を見失わずにすませることができる。
【０１５９】
さらに、上記実施形態を河川での災害に対する警報表示装置として用いると、機能の拡張、または表示項目の変更や増加が容易であり、表示器の構成、つまり表示器の部品を変更する必要がなく、開発費や時間によるコストを抑えることができる。また、表示器に対する警報の設定が可変であり、ヒューマンエラーによる入力ミスを低減することができる。
【０１６０】
よって、以上のような構成を採用することによって、防災管理装置やシステム、国や地方自治体、または公的機が定めた防災に関する規則等に必ずしも精通していない者でも、計測器によって得られた河川に関する情報データから、素早く正確に状況を判断することが可能な表示装置を得ることができる。特に、河川に関する情報データの現在の測定値のみならず、計測値の動きに関する情報を用いて、防災の非専門家であっても、河川の状況を判断することが可能な表示装置を得ることができる。
【０１６１】
＜警報表示装置の処理＞
図２０〜２３を参照して、警報表示装置１００の処理について説明する。    
図２０は、警報表示装置の円形表示部の円部および外周部の表示に伴って警報表示装置で行われる処理の流れの例を表すフローチャートである。以下の処理は定期的に、または連続的に繰り返し処理される。
【０１６２】
本例では、円部のセグメントを計測値が大きくなる方向にＡ１、Ａ２、・・・、円部のセグメントＡｉに対応する外周部のセグメントをＲｉとする。また、円部のセグメントＡｋとＡｋ＋１（ｋは正整数）を仕切る判別値をＷｋとする。ただし、円部のセグメントＡ１の下限に隣接する判別値はＷ０とする。また、以下では、計測値Ｍが円部のセグメントＡｉがカバーする領域にあるとき、警報レベルｉの状態であるとする。
【０１６３】
以下の処理では、たとえば、図１２に示されているように、円形表示部１１２の円部の各セグメントＡｉは、点滅または点灯状態を取り得る。
【０１６４】
また、本例では、警報表示装置１００の操作部１１６はボタンであり、以下では確認ボタンと呼ばれる。
【０１６５】
本処理では、警報レベルに関するダミー変数ｉ、ｊ（整数）を使用する。これらの値のデフォルト値はｉ＝０、ｊ＝０である。
【０１６６】
Ｓ１００では、現在、円形表示部１１２で表示されている警報レベルｎを取得する。
次に、Ｓ１０２では、計測値Ｍを取得する。
【０１６７】
Ｓ１０２の次のＳ１０４では、計測値Ｍが判別値Ｗｎより小さいかどうかを判定する。Ｓ１０４の判定の結果がＮｏ、すなわち計測値Ｍが判別値Ｗｎより小さくない場合には、Ｓ１０６に進む。また、Ｓ１０４の判定の結果がＹｅｓ、すなわち計測値Ｍが判別値Ｗｎより小さい場合にはＳ１２０に進む。
【０１６８】
Ｓ１０６では、計測値Ｍが判別値Ｗｎ＋１より大きいかどうかを判定する。Ｓ１０６の判定の結果がＹｅｓ、すなわち計測値Ｍが判別値Ｗｎ＋１より大きい場合にはＳ１０８に進む。Ｓ１０６の判定の結果がＮｏ、すなわち計測値Ｍが判別値Ｗｎ＋１より大きくない場合にはＳ１１８に進む。このとき、計測値Ｍは、判別値Ｗｎと判別値Ｗｎ＋１の間にある。したがって、現状と同様に、円部のセグメントＡ１〜Ａｎを点灯したままにして、処理を終了する。
【０１６９】
Ｓ１０８では、ダミー変数ｉの値をインクリメントする。
Ｓ１０８の次のＳ１１０では、計測値Ｍが判別値Ｗｎ＋ｉ＋１より小さいかどうかを判定する。Ｓ１１０の判定でＮｏ、すなわち計測値Ｍが判別値Ｗｎ＋ｉ＋１より小さくない場合には、Ｓ１０８に戻る。また、Ｓ１１０の判定でＹｅｓ、すなわち計測値Ｍが判別値Ｗｎ＋ｉ＋１より小さい場合には、Ｓ１１２に進む。このとき、計測値Ｍは判別値Ｗｎ＋ｉとＷｎ＋ｉ＋１の間にあり、警報レベル（ｎ＋ｉ）の状態にあることが分かる。
【０１７０】
Ｓ１１２では、円部のセグメントＡ１〜Ａｎを点灯したままにする。
次のＳ１１４では、現在表示されている警報レベルとの差である警報レベル（ｎ＋１）から警報レベル（ｎ＋ｉ）の状態を示す円部のセグメントを点滅する。具体的には、セグメントＡｎ＋１〜Ａｎ＋ｉを点滅する。Ｓ１１２およびＳ１１４の処理の順序は入れ替わっても良い。
【０１７１】
Ｓ１１６では、確認ボタン１１６が装置１００の利用者によって押下されたかどうかを判定する。Ｓ１１６の判定の結果がＹｅｓ、すなわち利用者が表示を確認した場合には、Ｓ１１８に進む。またＳ１１６の判定の結果がＮｏ、すなわちすなわち利用者が表示を確認していない場合には、確認ボタン１１６が装置１００の利用者によって押下されるまでＳ１１６の処理を繰り返す。
【０１７２】
Ｓ１１８では、それまで点滅状態にあった円部のセグメントＡｎ＋１〜Ａｎ＋ｉを点灯して、処理を終了する。
【０１７３】
Ｓ１２０では、減少傾向計測値処理を行う。
Ｓ１２０における処理の詳細は図２１に示されている。
【０１７４】
図２１に示されている処理では、たとえば、図１２に示されているように、円形表示部１１２の外周部は、計測値が増加傾向にあるのか減少傾向にあるのかという情報を表示することができる。
【０１７５】
本処理では、警報レベルに関するダミー変数ｉ（整数）と計測値の変化の傾向に関連する変数Ｆｌｇ（Ｆｌｇ＝０または１）を使用する。
【０１７６】
Ｓ２０２では、警報レベルに関するダミー変数ｉ（整数）と計測値の変化の傾向に関連する変数Ｆｌｇ（Ｆｌｇ＝０または１）をリセットする。すなわちダミー変数ｉと計測値の変化の傾向に関連する変数Ｆｌｇを、それぞれデフォルト値ｉ＝０、Ｆｌｇ＝０とする。
【０１７７】
次のＳ２０４でダミー変数ｉの値をインクリメントする。
Ｓ２０４の次のＳ２０６では、計測値Ｍが判別値Ｗｎ−ｉより小さいかどうかを判定する。Ｓ２０６の判定の結果がＹｅｓ、すなわち計測値Ｍが判別値Ｗｎ−ｉより小さい場合には、Ｓ２０８に進む。また、Ｓ２０６の判定の結果がＮｏ、すなわち計測値Ｍが判別値Ｗｎ−ｉより小さくない場合にはＳ２１０に進む。Ｓ２０６の判定の結果がＮｏのとき、計測値Ｍは、判別値Ｗｎ−ｉとＷｎ−ｉ＋１の間、すなわち警報レベル（ｎ−ｉ）にある。
【０１７８】
Ｓ２０８では、変数Ｆｌｇの値を１にする。すなわち、計測値は、現在表示されている警報レベルより低いレベルにある場合に、Ｆｌｇ＝１となる。Ｓ２０８の処理が終了するとＳ２０４に戻る。
【０１７９】
Ｓ２１０では、外周部のセグメントＲｎ−ｉ＋１からＲｎが点灯しているか否かを判定する。このステップに到達するのは、現在の表示は計測値が警報レベルｎにあることを示しているが、現在の計測値が警報レベル（ｎ−ｉ）にある場合である。そこで、警報レベル（ｎ−ｉ＋１）から警報レベルｎの値をカバーする円部のセグメントＡｎ−ｉ＋１からセグメントＡｎに対応する外周部が点灯しているかどうかを判定する。もし、Ｓ２１０の判定の結果がＹｅｓ、すなわち外周部のセグメントＲｎ−ｉ＋１からＲｎが点灯している場合には、Ｓ２１６に進む。また、Ｓ２１０の判定の結果がＮｏ、すなわち周部のセグメントＲｎ−ｉ＋１からＲｎが点灯していない場合には、Ｓ２１２に進む。
【０１８０】
Ｓ２１２では、変数Ｆｌｇの値が１であることを確認する。もしこのステップの判定の結果がＮｏであれば、処理を終了する。また、このステップの判定の結果がＹｅｓであれば、Ｓ２１４に進む。本ステップは省略しても良い。
【０１８１】
Ｓ２１４では、外周部のセグメントＲｎ−ｉ＋１からＲｎを点灯する。そして、Ｓ２１６に進む。
【０１８２】
Ｓ２１６では、確認ボタン１１６が装置１００の利用者によって押下されたかどうかを判定する。Ｓ２１６の判定の結果がＹｅｓ、すなわち利用者が表示を確認した場合には、Ｓ２１８に進む。またＳ２１６の判定の結果がＮｏ、すなわちすなわち利用者が表示を確認していない場合には、減少傾向計測値処理を終了する。
【０１８３】
Ｓ２１８では、円部のセグメントＡｎ−ｉ＋１からセグメントＡｎおよび外周部のセグメントＲｎ−ｉ＋１からＲｎを消灯する。
【０１８４】
以上のような減少傾向計測値処理が終了すると、図２０の処理も終了する。
図２２〜２３を参照して、上記の処理によって実現する円形表示部１１６の表示の例について説明する。
【０１８５】
図２２〜２３では図２０〜２１と同様に、円部のセグメントを計測値が大きくなる方向にＡ１、Ａ２、Ａ３、Ａ４、円部のセグメントＡ１、Ａ２、Ａ３、Ａ４のそれぞれに対応する外周部のセグメントをＲ１、Ｒ２、Ｒ３、Ｒ４とする。また、円部のセグメントＡｋとＡｋ＋１（ｋは１〜４の整数）を仕切る判別値をＷｋとする。ただし、円部のセグメントＡ１の下限に隣接する判別値はＷ０とする。また、以下では、計測値Ｍが円部のセグメントＡｋがカバーする領域にあるとき、警報レベルｋの状態であるとする。
【０１８６】
図２２は河川の水位の計測値の時間変化を示す図である。横軸が時間で、縦軸が水位の計測値を示す。図２２には、装置１００の利用者によって操作部１１６が操作される（確認ボタンが押下される）タイミングも同時に示されている。
【０１８７】
図２２に示されている水位の計測値は、定常状態から徐々に上昇し時刻Ｔ１で第１の判別値（警報レベル１）を超える。その後、計測値は上昇を続け、Ｔ３で第３の判別値（警報レベル３）を超える。そして、計測値は第４の判別値を超えることなく、時刻Ｔ５で第３の判別値（警報レベル２）を下回り、時刻Ｔ７で第１の判別値を下回り、定常状態に達する。
【０１８８】
図２２に示されているように、装置１００の利用者は、時刻Ｔ１とＴ３の間の時刻Ｔ２、時刻Ｔ３とＴ５の間の時刻Ｔ４、時刻Ｔ５とＴ７の間の時刻Ｔ６、そして時刻Ｔ７以降の時刻Ｔ８で操作部１１６を操作する。
【０１８９】
また、時刻Ｔ１以前を期間１、時刻Ｔ１とＴ２の間の期間を期間２などとし、時刻Ｔ８以降を期間９とする。
【０１９０】
図２３Ａは水位の計測値が定常状態にある場合の、つまり期間１における円形表示部１１２の表示の例である。この状態では、円部のセグメントＡ１、Ａ２、Ａ３、Ａ４は点灯も点滅もせず、外周部のセグメントをＲ１、Ｒ２、Ｒ３、Ｒ４も点灯しない。
【０１９１】
図２３Ｂは、水位の計測値が第１の警報レベルを超えて増加し、装置１００の利用者によって操作部１１６が操作される（確認ボタンが押下される）時刻Ｔ２まで、つまり期間２における表示の例である。このとき、円部のセグメントＡ１が点滅する。
【０１９２】
図２３Ｃは、時刻Ｔ２で装置１００の利用者によって操作部１１６が操作されたときの表示の例である。このとき、円部のセグメントＡ１が点灯する。
【０１９３】
図２３Ｄは、水位の計測値がさらに増加して、第３の警報レベルに達した時刻Ｔ４における円形表示部１１２の表示の例である。このとき、円部のセグメントＡ１が点灯し、セグメントＡ２、Ａ３が点滅している。
【０１９４】
図２３Ｅは、時刻Ｔ２で装置１００の利用者によって操作部１１６が操作されたときの表示の例である。このとき、円部のセグメントＡ１、Ａ２、Ａ３が点灯する。
【０１９５】
図２３Ｆは、時刻Ｔ５で第３の判別値（警報レベル３）を下回ったときの円形表示部１１２の表示の例である。このとき、円部のセグメントＡ１、Ａ２、Ａ３が点灯し、さらに円部のセグメントＡ３に対応する外周部のセグメントＲ３が点灯する。
【０１９６】
図２３Ｇは、時刻Ｔ６で装置１００の利用者によって操作部１１６が操作されたときの表示の例である。時刻Ｔ６では、計測値は警報レベル２の状態にあるので、円部のセグメントＡ１、Ａ２が点灯し、外周部のセグメントＲ３は消灯する。
【０１９７】
図２３Ｈは、時刻Ｔ７で第１の判別値を下回り、定常状態に達したときの円形表示部１１２の表示の例である。このとき、円部のセグメントＡ１、Ａ２が点灯し、さらに円部のセグメントＡ１、Ａ２に対応する外周部のセグメントＲ１、Ｒ２が点灯する。
【０１９８】
図２３Ｉは、時刻Ｔ８で装置１００の利用者によって操作部１１６が操作されたときの表示の例である。円部のセグメントＡ１、Ａ２、Ａ３、Ａ４は点灯も点滅もせず、外周部のセグメントをＲ１、Ｒ２、Ｒ３、Ｒ４も点灯しない。
【０１９９】
次に図２４を参照して、警報表示装置の円形表示部の放射部の表示に伴って警報表示装置で行われる処理の流れの例を表すフローチャートである。以下の処理は定期的に、または連続的に繰り返し処理される。また、図２４に示されている処理は、図２０〜２１に示した円形表示部が円部および外周部の表示に伴って警報表示装置で行われる処理と並行して処理され得る。
【０２００】
本例では、円部のセグメントを計測値が大きくなる方向にＡ１、Ａ２、・・・が配置され、円部のセグメントＡｋとＡｋ＋１（ｋは正整数）の間に放射部のセグメントＤｋが配置されているとする。円部のセグメントＡｋとＡｋ＋１（ｋは正整数）を仕切る判別値をＷｋとすると、放射部のセグメントＤｋは、円部では計測値Ｗｋを指す位置に配置される。円部のセグメントＡｋの上限、すなわちセグメントＡｋがカバーする計測値の範囲の最小値はＷｋ−１、最大値はＷｋである。円部のセグメントＡ１の下限に隣接する判別値はＷ０とする。また、以下では、計測値Ｍが円部のセグメントＡｋがカバーする領域にあるとき、警報レベルｋの状態であるとする。
【０２０１】
また、Δはパラメータとし、本例では、計測値が判別値Ｗｋを中心に２Δの範囲にあるときに、放射部のセグメントＤｋが点滅するものとする。
【０２０２】
Ｓ３０２では計測値Ｍを取得する。
Ｓ３０４では、Ｓ３０２で取得した計測値Ｍに対応する警報レベルの値ｎを決定する。
【０２０３】
次のＳ３０６では、（Ｍ−Ｗｎ−１）がΔより小さいかどうかを判定する。Ｓ３０６の判定の結果がＹｅｓ、すなわち（Ｍ−Ｗｎ−１）がΔより小さい場合にはＳ３０８に進む。Ｓ３０６の判定の結果がＮｏ、すなわち（Ｍ−Ｗｎ−１）がΔより小さくない場合にはＳ３１０に進む。
【０２０４】
Ｓ３０８では、放射部のセグメントＤｎ−１を点滅させる。このことによって、計測値Ｍは、警報レベルｎの状態の下限に近い値であることを表示することができる。
【０２０５】
Ｓ３１０では、（Ｗｎ−Ｍ）がΔより小さいかどうかを判定する。Ｓ３１０の判定の結果がＹｅｓ、すなわち（Ｗｎ−Ｍ）がΔより小さい場合にはＳ３１２に進む。Ｓ３０６の判定の結果がＮｏ、すなわち（Ｗｎ−Ｍ）がΔより小さくない場合には処理を終了する。
【０２０６】
Ｓ３１２では、放射部のセグメントＤｎを点滅させる。このことによって、計測値Ｍは、警報レベルｎの状態の上限に近い値であることを表示することができる。
【０２０７】
以上のような処理によって、河川に関する情報データの現在の測定値のみならず、計測値の動きに関する情報を用いて河川の状況を判断することが可能であり、河川に関する防災に精通していない者でも、計測器によって得られた河川に関する情報データから、素早く正確に状況を判断することができる。
＜比較例＞
図２５は、警報表示装置の比較例２０００である。
【０２０８】
図２５の警報表示装置２０００は、計測値が取得された地点名を表示する計測地点名表示部２００２と、計測値が増加傾向にあるのか、減少傾向にあるのかを表示する増減表示部２００４、警報ランプ２００６、および計測値を数字で表示する数字表示部２００８を含む。
【０２０９】
増減表示部２００４は、例えば、ｔ分前と（ｔ−１）分前の計測値を比較して、その差分の値により増減方向のどちらかのランプが点灯する。ｔの値としては、０．５、１、５などを例示することができる。
【０２１０】
図４に示されているような円形表示部１１２を有する警報表示装置１００と図２３の警報表示装置２０００を比較すると、警報表示装置１００について次のような特徴を見出すことができる。
【０２１１】
警報表示装置１００は円形表示部１１２を有している。円形のグラフで計測値を表示することによって、装置の利用者は、計測値の相対的なレベルを視覚的に素早く読み取ることができる。警報表示装置１００は円形表示部１１２と数字表示部１１０を有しており、最初に円形表示部１１２で計測値に関する直感的な理解をしてから、数字表示部１１０で数値を読むことによって、適切なタイミングで状況について詳細な認識を得ることができる。
【０２１２】
特に、円形表示部１１２の表示では、計測値が正常な値を示す定常状態と、計測値が警報を発すべき値を示す警報状態の割合を調整することによって、複数の警報状態があっても、装置の利用者は、警報レベルを容易に確認することができる。計測値に対して複数の判別値が存在しさらに判別値の数が時期や天候によって変化する場合でも、円部の領域分割の仕方を変えることによって、装置１００の利用者は、その状況に最適な表示を選択することができる。また、たとえば放射部の表示を利用するなどによって、判別値付近の計測値の変動を容易に確認することができる。また、円形表示部の円部は、正負の両方向の値を有する計測値についても、表示が容易である。
【０２１３】
以上の実施形態に関し、さらに以下の付記を開示する。
（付記１）
それぞれ複数の表示モードを有し、全てが組み合わさって略円形を形成する複数の円部セグメントを含む円部であって、円部表示情報に基づいて、警報レベルに対応する前記複数の円部セグメントの前記表示モードが変化する円部と、
前記円部の前記複数の円部セグメントのそれぞれ対応し、それぞれ複数の表示モードを有し、全てが組み合わさって略円を形成する複数の外周部セグメントを含む外周部であって、前記複数の外周部セグメントのそれぞれは、外周部表示情報に基づいて、前記表示モードが変化し、外部からの入力に関する入力操作情報に応答して、前記表示モードが元に戻る外周部と、
外部から入力を受け、前記入力に関する情報を前記入力操作情報として送る操作部と、
計測値が複数の判別値で区分けされる計測値の領域のどの領域に属するか、および計測値が対応する前記複数の円部セグメントの一つがカバーする領域にある状態からそうでない状態への変化が生じたかどうかを判定し、前記計測値が属する領域を前記円部表示情報として、さらに、もし前記変化が生じたときには前記変化に関する情報を前記外周部表示情報として送る表示制御部と、
を含む警報表示装置。
（付記２）
さらに、それぞれ複数の表示モードを有し、前記複数の判別値に対応するように前記複数の円部セグメントの前記円部の隣接する２つのセグメントに挟まれて配置される複数の放射部セグメントを含み、放射部表示情報に基づいて、前記複数の判別値の一つに対応する前記複数の放射部セグメントの一つの前記表示モードが変化する放射部と、
を含み、
前記表示制御部はさらに、前記計測値が前記複数の判別値の一つに近いかどうかを判定し、前記計測値が前記複数の判別値の一つに近い場合には前記複数の判別値の一つに関する情報を前記放射部表示情報として送る、付記１に記載の警報表示装置。
（付記３）
それぞれ複数の表示モードを有し、全てが組み合わさって略円形を形成する複数の円部セグメントを含む円部であって、円部表示情報に基づいて、警報レベルに対応する前記複数の円部セグメントの前記表示モードが変化する円部と、
前記複数の円部セグメントの前記円部の隣接する２つのセグメントに挟まれて配置される複数の放射部セグメントを含み、放射部表示情報に基づいて、前記複数の判別値の一つに対応する前記複数の放射部セグメントの一つの前記表示モードが変化する放射部と、
計測値が複数の判別値で区分けされる計測値の領域のどの領域に属するか、および前記計測値が前記複数の判別値の一つに近いかどうかを判定し、前記計測値が属する領域を前記円部表示情報として、前記計測値が前記複数の判別値の一つに近い場合には前記複数の判別値の一つに関する情報を前記放射部表示情報として送る表示制御部と、
を含む警報表示装置。
（付記４）
さらに、前記円部の前記複数の円部セグメントのそれぞれ対応し、それぞれ複数の表示モードを有し、全てが組み合わさって略円を形成する複数の外周部セグメントを含む外周部であって、前記複数の外周部セグメントのそれぞれは、外周部表示情報に基づいて、前記表示モードが変化し、外部からの入力に関する入力操作情報に応答して、前記表示モードが元に戻る外周部と、
外部から入力を受け、前記入力に関する情報を前記入力操作情報として送る操作部と、
を含み、
前記表示制御部はさらに、計測値が対応する前記複数の円部セグメントの一つがカバーする領域にある状態からそうでない状態への変化が生じたかどうかを判定し、さらに、もし前記変化が生じたときには前記変化に関する情報を前記外周部表示情報として送る、付記３に記載の警報表示装置。
（付記５）
前記判別値の数が３以上である付記１乃至４のいずれか一項に記載の警報表示装置。
（付記６）
前記計測値は河川の水位および流水量を含む水文情報と、季節、河川沿岸地域の天候を含む気象情報を含む河川情報である、付記１乃至５のいずれか一項に記載の警報表示装置。
（付記７）
前記判別値および／または前記判別値の数は前記気象情報に依存する付記６に記載の警報表示装置。
（付記８）
前記気象情報は、前記円部または外周部を用いて表示される付記２乃至７に記載の警報表示装置。
（付記９）
前記円部の前記複数の円部セグメントがカバーする計測値の領域の大きさが、前記複数の円部セグメントによって異なる、付記１乃至５のいずれか一項に記載の警報表示装置。
（付記１０）
前記計測値が前記判別値の最小値より小さい場合を定常状態、前記計測値が前記判別値の最小値より大きい場合を警報状態と呼ぶとき、前記複数の円部セグメントのそれぞれカバーする計測値の領域の大きさが、その円部セグメントが定常状態に対応する計測値の領域をカバーするのか、警報状態に対応する計測値の領域をカバーするのかに依存する、付記９に記載の警報表示装置。
（付記１１）
それぞれ複数の表示モードを有し、全てが組み合わさって略円形を形成する円部の複数の円部セグメントのそれぞれは、複数の判別値で区分けされる計測値の領域をカバーし、計測値が、複数の円部セグメントがカバーする領域に含まれるとき、対応する前記複数の円部セグメントの一つの前記表示モードを変化させることと、
前記円部の前記複数の円部セグメントのそれぞれ対応し、それぞれ複数の表示モードを有し、全てが組み合わさって略円を形成する複数の外周部セグメントを含む外周部であって、前記複数の外周部セグメントのそれぞれは、計測値が対応する前記複数の円部セグメントの一つがカバーする領域にある状態からそうでない状態に変化したときに、前記表示モードが変化し、外部から入力される確認を示す命令に対応して、前記表示モードを元に戻すこと、
を含む警報表示方法。
（付記１２）
さらに、それぞれ複数の表示モードを有し、前記複数の判別値に対応するように前記複数の円部セグメントの前記円部の隣接する２つのセグメントに挟まれて配置される放射部の複数の放射部セグメントにおいて、計測値が、前記複数の判別値の一つに近いときに前記複数の判別値の一つに対応する前記複数の放射部セグメントの一つの前記表示モードを変化させること、
を含む付記１１に記載の警報表示方法。
（付記１３）
それぞれ複数の表示モードを有し、全てが組み合わさって略円形を形成する円部の複数の円部セグメントのそれぞれは、複数の判別値で区分けされる計測値の領域をカバーし、計測値が、複数の円部セグメントがカバーする領域に含まれるとき、対応する前記複数の円部セグメントの一つまたは複数の前記表示モードを変化させることと、
それぞれ複数の表示モードを有し、前記複数の判別値に対応するように前記複数の円部セグメントの前記円部の隣接する２つのセグメントに挟まれて配置される放射部の複数の放射部セグメントにおいて、計測値が、前記複数の判別値の一つに近いときに前記複数の判別値の一つに対応する前記複数の放射部セグメントの一つの前記表示モードを変化させること、
を含む警報表示方法。
（付記１４）
さらに、前記円部の前記複数の円部セグメントのそれぞれ対応し、それぞれ複数の表示モードを有し、全てが組み合わさって略円を形成する複数の外周部セグメントを含む外周部であって、前記複数の外周部セグメントのそれぞれは、計測値が対応する前記複数の円部セグメントの一つがカバーする領域にある状態からそうでない状態に変化したときに、前記表示モードが変化し、外部から入力される確認を示す命令に対応して、前記表示モードを元に戻すこと、
を含む付記１３に記載の警報表示方法
（付記１５）
前記判別値の数が３以上である付記１１乃至１４のいずれか一項に記載の警報表示方法。
（付記１６）
前記計測値は河川の水位および流水量を含む水文情報と、季節、河川沿岸地域の天候を含む気象情報を含む河川情報である、付記１１乃至１５のいずれか一項に記載の警報表示方法。
（付記１７）
前記判別値および／または前記判別値の数は前記気象情報に依存する付記１６に記載の警報表示方法。
（付記１８）
さらに、前記気象情報は、前記円部または外周部を用いて表示すること、
を含む付記１２乃至１７に記載の警報表示方法。
（付記１９）
前記円部の前記複数の円部セグメントがカバーする計測値の領域の大きさが、前記複数の円部セグメントによって異なる、付記１２乃至１６のいずれか一項に記載の警報表示方法。
（付記２０）
前記計測値が前記判別値の最小値より小さい場合を定常状態、前記計測値が前記判別値の最小値より大きい場合を警報状態と呼ぶとき、前記複数の円部セグメントのそれぞれカバーする計測値の領域の大きさが、その円部セグメントが定常状態に対応する計測値の領域をカバーするのか、警報状態に対応する計測値の領域をカバーするのかに依存する、付記１９に記載の警報表示方法。
（付記２１）
それぞれ複数の表示モードを有し、全てが組み合わさって略円形を形成する複数の円部セグメントを含む円部であって、前記複数の円部セグメントのそれぞれは、複数の判別値で区分けされる計測値の領域をカバーし、計測値が、複数の円部セグメントがカバーする領域に含まれるとき、対応する前記複数の円部セグメントの一つまたは複数の前記表示モードが変化する円部と、
前記円部の前記複数の円部セグメントのそれぞれ対応し、それぞれ複数の表示モードを有し、全てが組み合わさって略円を形成する複数の外周部セグメントを含む外周部であって、前記複数の外周部セグメントのそれぞれは、計測値が対応する前記複数の円部セグメントの一つがカバーする領域にある状態からそうでない状態に変化したときに、前記表示モードが変化し、外部から入力される確認を示す命令に対応して、前記表示モードが元に戻る外周部と、
を含む警報表示装置。
（付記２２）
さらに、それぞれ複数の表示モードを有し、前記複数の判別値に対応するように前記複数の円部セグメントの前記円部の隣接する２つのセグメントに挟まれて配置される複数の放射部セグメントを含む放射部であって、計測値が、前記複数の判別値の一つに近いときに前記複数の判別値の一つに対応する前記複数の放射部セグメントの一つの前記表示モードが変化する放射部と、
を含む付記２１に記載の警報表示装置。
（付記２３）
それぞれ複数の表示モードを有し、全てが組み合わさって略円形を形成する複数の円部セグメントを含む円部であって、前記複数の円部セグメントのそれぞれは、複数の判別値で区分けされる計測値の領域をカバーし、計測値が、複数の円部セグメントがカバーする領域に含まれるとき、対応する前記複数の円部セグメントの一つまたは複数の前記表示モードが変化する円部と、
それぞれ複数の表示モードを有し、前記複数の判別値に対応するように前記複数の円部セグメントの前記円部の隣接する２つのセグメントに挟まれて配置される複数の放射部セグメントを含む放射部であって、計測値が、前記複数の判別値の一つに近いときに前記複数の判別値の一つに対応する前記複数の放射部セグメントの一つの前記表示モードが変化する放射部と、
を含む警報表示装置。
（付記２４）
さらに、前記円部の前記複数の円部セグメントのそれぞれ対応し、それぞれ複数の表示モードを有し、全てが組み合わさって略円を形成する複数の外周部セグメントを含む外周部であって、前記複数の外周部セグメントのそれぞれは、計測値が対応する前記複数の円部セグメントの一つがカバーする領域にある状態からそうでない状態に変化したときに、前記表示モードが変化し、外部から入力される確認を示す命令に対応して、前記表示モードが元に戻る外周部と、
を含む付記２３に記載の警報表示装置。
（付記２５）
前記判別値の数が３以上である付記２１乃至２４のいずれか一項に記載の警報表示装置。
（付記２６）
前記計測値は河川の水位および流水量を含む水文情報と、季節、河川沿岸地域の天候を含む気象情報を含む河川情報である、付記２１乃至２５のいずれか一項に記載の警報表示装置。
（付記２７）
前記判別値および／または前記判別値の数は前記気象情報に依存する付記２６に記載の警報表示装置。
（付記２８）
前記気象情報は、前記円部または外周部を用いて表示される付記２２乃至２７に記載の警報表示装置。
（付記２９）
前記円部の前記複数の円部セグメントがカバーする計測値の領域の大きさが、前記複数の円部セグメントによって異なる、付記２１乃至２５のいずれか一項に記載の警報表示装置。
（付記３０）
前記計測値が前記判別値の最小値より小さい場合を定常状態、前記計測値が前記判別値の最小値より大きい場合を警報状態と呼ぶとき、前記複数の円部セグメントのそれぞれカバーする計測値の領域の大きさが、その円部セグメントが定常状態に対応する計測値の領域をカバーするのか、警報状態に対応する計測値の領域をカバーするのかに依存する、付記２９に記載の警報表示装置。
【符号の説明】
【０２１４】
１００  警報表示装置
１１０  数字表示部
１１２  円形表示部
１１４  表示制御部
１１６  操作部
１２２  入力処理部
１２４  データ格納部
１２６  判定部
１２８  表示制御部
１３０  表示出力部
１３２  ブザー
３００  円形表示部の円部
３１０  円形表示部の外周部
３２０  円形表示部の放射部
【図１】
0005928116.tif 000005
【図２】
0005928116.tif 000006
【図３】
0005928116.tif 000007
【図４】
0005928116.tif 000008
【図５】
0005928116.tif 000009
【図６】
0005928116.tif 000010
【図７】
0005928116.tif 000011
【図８】
0005928116.tif 000012
【図９Ａ】
0005928116.tif 000013
【図９Ｂ】
0005928116.tif 000014
【図１０】
0005928116.tif 000015
【図１１】
0005928116.tif 000016
【図１２】
0005928116.tif 000017
【図１３】
0005928116.tif 000018
【図１４】
0005928116.tif 000019
【図１５】
0005928116.tif 000020
【図１６】
0005928116.tif 000021
【図１７】
0005928116.tif 000022
【図１８】
0005928116.tif 000023
【図１９】
0005928116.tif 000024
【図２０】
0005928116.tif 000025
【図２１】
0005928116.tif 000026
【図２２】
0005928116.tif 000027
【図２３】
0005928116.tif 000028
【図２４】
0005928116.tif 000029
【図２５】
0005928116.tif 000030